(57)【要約】  移動体インターネットプロトコル（ＭＩＰ）ネットワーク環境において、複数のバインディングを提供する方法、装置、システム、およびコンピュータプログラム製品が定義される。確立される複数のバインディングは、順方向リンクバインディングが逆方向リンクバインディングから結合解除され、またはそうでない場合は、逆方向リンクバインディングに影響を及ぼさず、逆も同様であるように、互いから独立している。複数の逆方向リンクだけのバインディングが、アクセス端末向けのアクティブな経路セット内で確立され得る。加えて、順方向リンクバインディングおよび逆方向リンクバインディングを提供する単一の一次バインディングが確立され得る。任意の時点で、アクセス端末は、１つの一次バインディングだけを維持することが可能である。複数のリンクバインディングを確立するための本発明は、ウルトラモバイルブロードバンド（ＵＭＢ）ネットワークまたはデータ伝送および／もしくはシグナリング伝送のために移動体インターネットプロトコル（ＭＩＰ）に依存する任意のその他のネットワークなどの通信ネットワークに適用され得る。その他の例示的なシステムは、ＣＤＭＡ（ＣＤＭＡ２０００、ＥＶ  ＤＯ、ＷＣＤＭＡ）システム、ＯＦＤＭシステム、またはＯＦＤＭＡ（フラッシュＯＦＤＭ、８０２．２０、ＷｉＭＡＸ）システム、ＦＤＤもしくはＴＤＤの許可されたスペクトルを使用するＦＤＭＡシステム／ＴＤＭＡ（ＧＳＭ）システム、多くの場合、無対の許可されていないスペクトル、および８０２．ｘｘ無線ＬＡＮまたはＢＬＵＥＴＯＯＴＨ（登録商標）技術を使用するピアツーピア（例えば、移動体間）特別ネットワークシステムを含む。
2010530722.tif 000002
【特許請求の範囲】
【請求項１】
複数の移動体インターネットプロトコル（ＭＩＰ）バインディングを確立するための方法であって、
第１のネットワークエンティティを介して逆方向リンクだけのバインディングをセットアップすることと、
第２のネットワークエンティティを介して順方向リンクバインディングをセットアップすることであって、前記逆方向リンクだけのバインディングが、前記順方向リンクバインディングから独立してセットアップされる、セットアップすることと、
前記第１のネットワークエンティティを介して前記逆方向リンク上でデータを送信することと、
前記第２のネットワークエンティティを介して送信された順方向リンクデータを受信することとを備える方法。
【請求項２】
前記逆方向リンクだけのバインディングをセットアップすることが、対応する複数のネットワークエンティティとの複数の逆方向リンクだけのバインディングをセットアップすることをさらに備える、請求項１に記載の方法。
【請求項３】
前記逆方向リンクだけの上でデータを送信することが、前記対応するネットワークエンティティを介して、前記複数の逆方向リンクだけのバインディングのうちのいずれか１つを介してデータを送信することをさらに備える、請求項２に記載の方法。
【請求項４】
前記逆方向リンクだけのバインディングをセットアップすることが、 アクセス端末において、前記第１のネットワークエンティティとの前記逆方向リンクだけのバインディングをセットアップすることをさらに備え、前記順方向リンクバインディングをセットアップすることが、前記アクセス端末において、前記第２のネットワークエンティティとの前記順方向リンクバインディングをセットアップすることをさらに備える、請求項１に記載の方法。
【請求項５】
前記逆方向リンクだけのバインディングをセットアップすることが、前記アクセス端末から前記第１のネットワークエンティティにバインディング要求を通信することと、前記第１のネットワークエンティティによる前記バンディング要求の受信に応答して、前記第１のネットワークエンティティからバインディング登録エンティティに逆方向リンクだけの拡張を含むバインディング登録要求を通信することとをさらに備える、請求項４に記載の方法。
【請求項６】
前記バインディング登録エンティティが、ホームエージェントまたはアクセスゲートウェイのうちの１つとしてさらに定義される、請求項５に記載の方法。
【請求項７】
前記順方向リンクバインディングをセットアップすることが、任意の時点で、関連するアクセス端末ごとに１つの順方向リンクバインディングだけを維持することをさらに備える、請求項１に記載の方法。
【請求項８】
前記順方向リンクバインディングをセットアップすることが、前記第２のネットワークエンティティを介して、前記順方向リンクバインディングおよび逆方向リンクバインディングを含む一次バインディングをセットアップすることをさらに備える、請求項１に記載の方法。
【請求項９】
前記一次バインディングをセットアップすることが、１つまたは複数のリンクの品質測定を決定することと、前記品質測定に基づいて、前記一次バインディング向けのリンクを選択することとをさらに備える、請求項８に記載の方法。
【請求項１０】
前記一次バインディングを第３のネットワークエンティティに移動させることをさらに備える、請求項８に記載の方法。
【請求項１１】
前記一次バインディングを第３のネットワークエンティティに移動させることが、前記第３のネットワークエンティティに対するリンクの品質が、前記第２のネットワークエンティティに対するリンクの品質に勝って好ましいことを決定することをさらに備える、請求項１０に記載の方法。
【請求項１２】
前記一次バインディングを第３のネットワークエンティティに移動させることが、一次バインディング移動要求をアクセス端末から前記第３のネットワークエンティティに通信することと、前記第３のネットワークエンティティによる前記一次バインディング移動要求の受信に応答して、前記第３のネットワークエンティティからバインディング登録エンティティに、逆方向リンクだけの拡張が欠如したバインディング登録要求を通信することとをさらに備える、請求項１０に記載の方法。
【請求項１３】
前記バインディング登録エンティティが、ホームエージェントまたはアクセスゲートウェイのうちの１つとしてさらに定義される、請求項１２に記載の方法。
【請求項１４】
第３のネットワークエンティティとのシグナリングだけのバインディングをセットアップすることをさらに備える、請求項１に記載の方法。
【請求項１５】
シグナリングだけのバインディングをセットアップすることが、ホームエージェントまたはアクセスゲートウェイのうちの１つとシグナリングだけのバインディングをセットアップすることをさらに備える、請求項１４に記載の方法。
【請求項１６】
前記第３のネットワークエンティティからシグナリングだけのバインディング開始エンティティへのデータの転送を中止することと、すべての一次バインディングおよびその他のシグナリングバインディングを除去することと、データがいつ利用可能であるかを前記シグナリングだけのバインディング開始エンティティに通知することとをさらに備える、請求項１４に記載の方法。
【請求項１７】
前記方法が、複数のプロキシ移動体インターネットプロトコル（ＰＭＩＰ）バインディングを確立するための方法としてさらに定義される、請求項１に記載の方法。
【請求項１８】
前記逆方向リンクだけのバインディングをセットアップすることが、外部エージェントにおいて、前記第１のネットワークエンティティとの前記逆方向リンクだけのバインディングをセットアップすることをさらに備え、前記順方向リンクバインディングをセットアップすることが、前記外部エージェントにおいて、前記第２のネットワークエンティティとの前記順方向リンクバインディングをセットアップすることをさらに備える、請求項１７に記載の方法。
【請求項１９】
外部エージェントにおいて、前記第１のネットワークエンティティとの前記逆方向リンクだけのバインディングをセットアップすることと、前記外部エージェントにおいて、前記第２のネットワークエンティティとの前記順方向リンクバインディングをセットアップすることとが、前記外部エージェントを基地局としてさらに定義する、請求項１８に記載の方法。
【請求項２０】
複数の移動体インターネットプロトコル（ＭＩＰ）バインディングを確立するように構成された少なくとも１つのプロセッサであって、
第１のネットワークエンティティを介して逆方向リンクだけのバインディングをセットアップするための第１のモジュールと、
第２のネットワークエンティティを介して順方向リンクバインディングをセットアップするための第２のモジュールであって、前記逆方向リンクだけのバインディングが、前記順方向リンクバインディングから独立してセットアップされる、第２のモジュールと、
前記第１のネットワークエンティティを介して前記逆方向リンク上でデータを送信するための第３のモジュールと、
前記第２のネットワークエンティティを介して送信された順方向リンクデータを受信するための第４のモジュールとを備えるプロセッサ。
【請求項２１】
コンピュータに、第１のネットワークエンティティを介して逆方向リンクだけのバインディングをセットアップさせるための第１のコードのセットと、
前記コンピュータに、第２のネットワークエンティティを介して順方向リンクバインディングをセットアップさせるための第２のコードのセットであって、前記逆方向リンクだけのバインディングが、前記順方向リンクバインディングから独立してセットアップされる、第２のコードのセットと、
前記コンピュータに、前記第１のネットワークエンティティを介して前記逆方向リンク上でデータを送信させるための第３のコードのセットと、
前記コンピュータに、前記第２のネットワークエンティティを介して送信された順方向リンクデータを受信させるための第４のコードのセットとを備える
コンピュータ可読媒体を備える
コンピュータプログラム製品。
【請求項２２】
第１のネットワークエンティティを介して逆方向リンクだけのバインディングをセットアップするための手段と、
第２のネットワークエンティティを介して順方向リンクバインディングをセットアップするための手段であって、前記逆方向リンクだけのバインディングが、前記順方向リンクバインディングから独立してセットアップされる、セットアップするための手段と、
前記第１のネットワークエンティティを介して前記逆方向リンク上でデータを送信するための手段と、
前記第２のネットワークエンティティを介して送信された順方向リンクデータを受信するための手段と
を備える装置。
【請求項２３】
プロセッサと、プロセッサと通信するメモリとを含むコンピュータプラットフォームと、
前記メモリ内に格納され、かつ前記プロセッサと通信するリンクバインディングモジュールであって、第１のネットワークエンティティを介して逆方向リンクだけのバインディングをセットアップし、第２のネットワークエンティティを介して順方向リンクバインディングをセットアップするように動作可能であり、前記逆方向リンクだけのバインディングが、前記順方向リンクバインディングから独立してセットアップされる、リンクバインディングモジュールと、
前記第１のネットワークエンティティを介して前記逆方向リンク上でデータを送信し、前記第２のネットワークエンティティを介して送信された順方向リンクを受信するように動作可能な、前記プロセッサと通信する通信モジュールと
を備える無線アクセス端末装置。
【請求項２４】
前記リンクバインディングモジュールが、対応する複数のネットワークエンティティとの複数の逆方向リンクだけのバインディングをセットアップするようにさらに動作可能な、請求項２３に記載の装置。
【請求項２５】
前記通信モジュールが、前記複数の逆方向リンクだけのバインディングのうちのいずれか１つを介して、前記対応するネットワークエンティティにデータを送信するようにさらに動作可能な、請求項２４に記載の装置。
【請求項２６】
前記リンクバインディングモジュールが、前記第１のネットワークエンティティに通信されるバインディング要求を生成するためにさらに動作可能な、請求項２３に記載の装置。
【請求項２７】
前記リンクバインディングモジュールが、任意の時点で、１つの順方向リンクバインディングだけを維持するようにさらに動作可能な、請求項２３に記載の装置。
【請求項２８】
前記リンクバインディングモジュールが、前記第２のネットワークエンティティとの、前記順方向リンクバインディングおよび逆方向リンクバインディングを含む一次バインディングをセットアップするようさらに動作可能な、請求項２３に記載の装置。
【請求項２９】
前記メモリ内に格納され、かつ前記プロセッサと通信するリンク品質評価モジュールをさらに備え、前記リンク品質評価モジュールが、１つまたは複数のリンクの品質評価を決定して、前記品質評価に基づいて、前記一次バインディング向けのリンクを選択するようにさらに動作可能な、請求項２８に記載の装置。
【請求項３０】
前記リンクバインディングモジュールが、前記第２のネットワークエンティティから第３のネットワークエンティティに前記一次バインディングを移動させるようにさらに動作可能な、請求項２８に記載の装置。
【請求項３１】
前記メモリ内に格納され、かつ前記プロセッサと通信するリンク品質評価モジュールをさらに備え、前記リンク品質評価モジュールが、前記第３のネットワークエンティティに対するリンクの品質測定が、前記第２のネットワークエンティティに対するリンクの品質測定に勝って好ましいことを決定するようにさらに動作可能な、請求項３０に記載の装置。
【請求項３２】
前記リンクバインディングモジュールが、前記第３のネットワークエンティティに通信される一次バインディング移動要求を生成するようにさらに動作可能な、請求項３０に記載の装置。
【請求項３３】
前記リンクバインディングモジュールが、第３のネットワークエンティティとのシグナリングだけのバインディングをセットアップするようにさらに動作可能な、請求項２３に記載の装置。
【請求項３４】
前記リンクバインディングモジュールが、ホームエージェントまたはアクセスゲートウェイのうちの１つと前記シグナリングだけのバインディングをセットアップするようにさらに動作可能な、請求項３３に記載の装置。
【請求項３５】
複数の移動体インターネットプロトコル（ＭＩＰ）バインディングを提供するための方法であって、
第１のネットワークエンティティにおいて、バインディング開始エンティティから順方向リンクバインディング要求を受信することと、
前記順方向リンクバインディング要求の受信に基づいて、前記第１のネットワークエンティティとのアクセス端末向けの順方向リンクバインディングを確立することと、
前記逆方向リンクバインディング要求の受信に基づいて、前記第２のネットワークエンティティとの前記アクセス端末向けの逆方向リンクだけのバインディングを確立することとを備える方法であって、
前記逆方向リンクだけのバインディングが、前記順方向リンクバインディングから独立して確立される方法。
【請求項３６】
第１のネットワークエンティティにおいて、バインディング開始エンティティから送信された順方向リンクバインディング要求を受信することが、前記バインディング開始エンティティを前記アクセス端末または外部エージェントのうちの１つとしてさらに定義する、請求項３５に記載の方法。
【請求項３７】
第２のネットワークエンティティにおいて受信することが、複数の第２のネットワークエンティティにおいて、前記順方向リンクバインディング要求と同じバインディング開始エンティティから送信された、逆方向だけのバインディング要求を受信することをさらに備える、請求項３５に記載の方法。
【請求項３８】
前記逆方向リンクだけのバインディングを確立することが、前記対応する複数の第２のネットワークエンティティのそれぞれと複数の逆方向リンクだけのバインディングを確立することをさらに備える、請求項３５に記載の方法。
【請求項３９】
前記第１のネットワークエンティティとの前記順方向リンクバインディングを確立することが、前記第１のネットワークエンティティにおいて、逆方向リンクだけの拡張を含む登録要求を生成することと、前記登録要求をバインディング登録エンティティに通信することとをさらに備える、請求項３５に記載の方法。
【請求項４０】
前記登録要求をバインディング登録エンティティに通信することが、前記登録要求をホームエージェントまたはアクセスゲートウェイのうちの１つに通信することをさらに備える、請求項３９に記載の方法。
【請求項４１】
順方向リンクバインディングを確立することが、前記順方向リンクバインディングを関連するアクセス端末向けの唯一の順方向リンクとして維持することをさらに備える、請求項３５に記載の方法。
【請求項４２】
前記順方向リンクバインディングを確立することが、前記第２のネットワークエンティティとのアクセス端末向けの一次バインディングを確立することをさらに備え、前記一次バインディングが、前記順方向リンクバインディングおよび逆方向リンクバインディングを含む、請求項３５に記載の方法。
【請求項４３】
第３のネットワークエンティティにおいて、前記バインディング開始エンティティから送信された一次バインディング移動要求を受信することをさらに備える、請求項４２に記載の方法。
【請求項４４】
前記第３のネットワークエンティティにおいて、逆方向リンクだけの拡張が欠如した登録要求を生成することと、前記登録要求をバインディング登録エンティティに通信することとをさらに備える、請求項４３に記載の方法。
【請求項４５】
前記登録要求をバインディング登録エンティティに通信することが、前記登録要求をホームエージェントまたはアクセスゲートウェイのうちの１つに通信することをさらに備える、請求項４４に記載の方法。
【請求項４６】
第３のネットワークエンティティにおいて、シグナリングだけのバインディング要求を受信することをさらに備える、請求項３５に記載の方法。
【請求項４７】
前記第３のネットワークエンティティからシグナリングだけのバインディング開始エンティティへのデータの転送を中止することと、すべての一次バインディングおよびその他のシグナリングバインディングを除去することと、データがいつ利用可能であるかを前記シグナリングだけのバインディング開始エンティティに通知することとをさらに備える、請求項４６に記載の方法。
【請求項４８】
複数の移動体インターネットプロトコル（ＭＩＰ）バインディングを提供するように構成された、少なくとも１つのプロセッサであって、
第１のネットワークエンティティにおいて、バインディング開始エンティティから送信された順方向リンクバインディング要求を受信するための第１のモジュールと、
前記順方向リンクバインディング要求の受信に基づいて、前記第１のネットワークエンティティとのアクセス端末向けの順方向リンクバインディングを確立するための第２のモジュールと、
前記逆方向リンクバインディング要求の受信に基づいて、前記第２のネットワークエンティティとの前記アクセス端末向けの逆方向リンクだけのバインディングを確立するための第３のモジュールとを備え、
前記逆方向リンクだけのバインディングが、前記順方向リンクバインディングから独立して確立されるプロセッサ。
【請求項４９】
コンピュータに、第１のネットワークエンティティにおいて、バインディング開始エンティティから送信された順方向リンクバインディング要求を受信させるための第１のコードのセットと、
前記コンピュータに、前記順方向リンクバインディング要求の受信に基づいて、前記第１のネットワークエンティティとのアクセス端末向けの順方向リンクバインディングを確立させるための第２のコードのセットと、
前記コンピュータに、前記逆方向リンクバインディング要求の受信に基づいて、前記第２のネットワークエンティティとの前記アクセス端末向けの逆方向リンクだけのバインディングを確立させるための第３のコードのセットと
を備えるコンピュータ可読媒体を備える
コンピュータプログラム製品であって、
前記逆方向リンクだけのバインディングが、前記順方向リンクバインディングから独立して確立されるコンピュータプログラム製品。
【請求項５０】
第１のネットワークエンティティにおいて、バインディング開始エンティティから送信された順方向リンクバインディング要求を受信するための手段と、
前記順方向リンクバインディング要求の受信に基づいて、前記第１のネットワークエンティティとのアクセス端末向けの順方向リンクバインディングを確立するための手段と、
前記逆方向リンクバインディング要求の受信に基づいて、前記第２のネットワークエンティティとの前記アクセス端末向けの逆方向リンクだけのバインディングを確立するための手段と
を備える装置であって、
前記逆方向リンクだけのバインディングが、前記順方向リンクバインディングから独立して確立される装置。
【請求項５１】
バインディング開始エンティティから送信された順方向リンクバインディング要求を受信して、前記順方向リンクバインディング要求の受信に基づいて、第１のネットワークエンティティとのアクセス端末向けの順方向リンクバインディングを確立するように動作可能な第１のネットワークエンティティと、
前記バインディング開始エンティティから送信された逆方向リンクだけのバインディング要求を受信して、前記逆方向リンクバインディング要求の受信に基づいて、第２のネットワークエンティティとの前記アクセス端末向けの逆方向リンクだけのバインディングを確立するように動作可能な第２のネットワークエンティティと
を備えるネットワークシステムであって、
前記逆方向リンクだけのバインディングが、前記第２のネットワークエンティティにおいて、前記第１のネットワークエンティティにおいて確立された前記順方向リンクバインディングから独立して確立されるネットワークシステム。
【請求項５２】
前記第２のネットワークエンティティが、前記バインディング開始デバイスから送信された逆方向だけのバインディング要求を受信して、前記対応する複数の第２のネットワークエンティティのそれぞれと前記アクセス端末の間で複数の逆方向リンクだけのバインディングを確立するように動作可能な複数の第２のネットワークエンティティをさらに備える、請求項５１に記載のシステム。
【請求項５３】
前記第２のネットワークエンティティから、逆方向リンクだけの拡張を含む登録要求を受信して、前記第２のネットワークエンティティを前記アクセス端末向けの逆方向リンクだけのバインディングとして登録するように動作可能なバインディング登録エンティティをさらに備える、請求項５１に記載のシステム。
【請求項５４】
前記第１のネットワークエンティティが、前記順方向リンクバインディングを前記アクセス端末向けの唯一の順方向リンクとして維持するようにさらに動作可能な、請求項５１に記載のシステム。
【請求項５５】
前記第１のネットワークエンティティが、前記バインディング開始エンティティから送信された一次リンクバインディング要求を受信して、前記第２のネットワークエンティティとの前記アクセス端末向けの一次バインディングを確立するようさらに動作可能であり、前記一次バインディングが、前記順方向リンクバインディングおよび逆方向リンクバインディングを含む、請求項５１に記載のシステム。
【請求項５６】
前記バインディング開始エンティティから送信された一次バインディング移動要求を受信して、前記第３のネットワークエンティティとの前記アクセス端末向けの一次バインディングを確立するように動作可能な第３のネットワークエンティティをさらに備える、請求項５１に記載のシステム。
【請求項５７】
前記第３のネットワークエンティティから、逆方向リンクだけの拡張が欠如した登録要求を受信して、前記第３のネットワークエンティティを前記アクセス端末向けの前記一次バインディングとして登録するように動作可能なバインディング登録エンティティをさらに備える、請求項５６に記載のシステム。
【発明の詳細な説明】
【技術分野】
【０００１】
米国特許法第１１９条に基づく優先権主張
本特許出願は、２００７年６月１８日に出願され、本譲受人に譲渡され、参照により本明細書に明示的に組み込まれている、「ＭＵＬＴＩＰＬＥ  ＢＩＮＤＩＮＧ  ＦＯＲ  ＰＭＩＰ  ＦＯＲ  ＷＩＲＥＬＥＳＳ  ＮＥＴＷＯＲＫＳ」という表題の仮出願第６０／９４４，７７７号の優先権を主張する。
【０００２】
説明される態様は、無線ネットワークに関し、より詳細には、移動体インターネットプロトコル（ＭＩＰ）向けの独立した順方向リンクバインディングおよび逆方向リンクバインディングを有する複数のバインディングのための装置、方法、およびシステムに関する。
【背景技術】
【０００３】
無線通信システムは、音声、データなど、様々なタイプの通信コンテンツを提供するために広く配備されている。これらのシステムは、利用可能なシステムリソース（例えば、帯域幅および送信電力）を共有することによって、複数のユーザとの通信をサポートすることが可能な多元接続システムであり得る。かかる多元接続システムの例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、および直交周波数分割多元接続（ＯＦＤＭＡ）システムを含む。
【０００４】
一般に、無線多元接続通信システムは、複数の無線端末に対する通信を同時にサポートすることが可能である。それぞれの端末は、順方向リンク上および逆方向リンク上で伝送を経由して１つまたは複数の基地局と通信する。順方向リンク（すなわち、ダウンリンク）は、基地局から端末への通信を指し、逆方向リンク（すなわち、アップリンク）は、端末から基地局への通信を指す。この通信リンクは、単一入力単一出力システム、多入力単一出力システム、または多入出力（ＭＩＭＯ）システムを経由して確立され得る。
【０００５】
移動体インターネットプロトコルは、移動体デバイスのユーザが、固定ＩＰアドレスを維持しながら、あるネットワークから別のネットワークに移動することを可能にするように設計されたインターネット特別技術調査委員会（ＩＥＴＦ）標準通信プロトコルである。したがって、ＭＩＰは、アクセス端末／移動体デバイスが、外部ネットワーク上で登録して、外部エージェント（ＦＡ）およびホームエージェント（ＨＡ）の組合せを経由してそのホームネットワークに再び接続することを可能にするように機能する。ＨＡは、データを現在外部ネットワークに接続されたアクセス端末に経路指定する責任を有する。これは、データをアクセス端末に引き渡すために、ケアオブアドレス（ＣｏＡ）が使用されるトンネリングプロセスを介して達成される。ＣｏＡは、外部エージェントと関連付けられることが可能であり、その場合、ＣｏＡは、ＦＡ  ＣｏＡと呼ばれ、または、ＣｏＡは、アクセス端末に外部ネットワーク内のＩＰアドレスが割り当てられることを意味する、同じ場所に位置されたＣｏＡであってもよい。
【０００６】
したがって、移動体ＩＰにおいて、アクセス端末／移動体デバイスが、基地局など、ある接続ポイントから別の接続ポイントに移動すると、コネクション接続ポイント（connection attachment point）ＩＰアドレスは変化し得る。ＩＰアドレスが変化する場合、アクセス端末は、ホームエージェントに当該アクセス端末によって使用されている現在のＩＰアドレスを通知するために、ＨＡにバインディング更新を送信する。アクセス端末が接続ポイントから接続ポイントに移動すると、当該アクセス端末宛のデータパケットは、まず、これまでのバインディング更新に基づいて、どのアドレスに当該データパケットを送信するかを知っているＨＡに経路指定されることになる。そのＨＡだけが当該アクセス端末の現在のＩＰアドレスの知識を必要とするため、この手順は、アクセス端末と通信している任意のデバイスにとって透過的である。
【０００７】
ＷｉＭＡＸネットワークおよびＣＤＭＡ２０００ネットワークなどの移動体ＩＰ向けのアプリケーションは、プロキシＭＩＰ（ＰＭＩＰ）と呼ばれる技術を使用する。ウルトラモバイルブロードバンド（ＵＭＢ）では、ＰＭＩＰは、アクセス端末の代わりにＨＡと相互に作用するアクセスゲートウェイ（ＡＧＷ）を移動体ＩＰアーキテクチャ内に導入する。ＰＭＩＰでは、アクセス端末がある接続ポイント（例えば、発信基地局）から別の接続ポイント（例えば、目標基地局）に移動すると、ＭＩＰにおける場合のように、アクセス端末がＡＧＷにバインディング更新を送信する代わりに、目標基地局が代理として機能し、アクセス端末の代わりにＡＧＷにバインディング更新を送信する。バインディング更新は、バインディングを実行しているエンティティが、当該アクセス端末のユーザであること、または当該アクセス端末のユーザの合法的な代理であることをＨＡに証明するように機能する。
【０００８】
しかし、ＭＩＰおよびＰＭＩＰでは、アクセス端末は、データを通信するために、任意時点で、１つの接続ポイントだけを使用している。したがって、発信基地局および目標基地局の両方ではなく、発信基地局または目標基地局のどちらか一方が、任意の時点で当該アクセス端末によって使用されている。すなわち、発信基地局もしくは目標基地局のどちらか一方が、順方向リンク上でデータを当該アクセス端末に送信するか、または逆方向リンク上で当該アクセス端末と通信するデバイスからデータを受信する責任を有する。バインディング更新が達成された後で、発信基地局からＨＡ／ＡＧＷにインフライトパケット（in-flight packets）が存在する可能性がある場合ですら、ＨＡ／ＡＧＷは、これまでのバインディングに関連するすべてのパケットを中断することになる点にも留意されたい。
【０００９】
近年、ＭＯＮＡＭＩ（移動体ノードおよび複数のインターフェース）作業部会は、移動体ＩＰに関する複数のバインディング方式の拡張を考案した。ＭＯＮＡＭＩにより考案され、ＭＩＰに適合される一般概念では、任意の基地局は、逆方向リンク上でアップリンクデータを送信することが可能である。加えて、ＭＯＮＡＭＩ概念は、同じＩＰアドレス向けの複数のバインディングに依存し、それぞれのバインディングに重み（すなわち、その他のバインディングと比較して当該バインディングを使用する選好）が割り当てられる。ＭＯＮＡＭＩ概念では、任意の基地局は、逆方向リンク上でアップリンクデータを送信することが可能であるが、最高の重みを有する基地局だけが、アクセス端末に送信するためのダウンリンクデータを順方向リンク上で受信することになる。バインディングプロセスの間、アクセス端末は、ＨＡにバインディングの重みを通信し、そのバインディングの重みに基づいて、ＨＡはデータトラヒックを最高の重みを有するバインディングに転送する。この点で、アクセス端末が、新しい接続ポイント／基地局に移動するとき、データトラヒックは目標基地局から直接的に流れないが、これは、目標基地局における新しいバインディングに、これまで割り当てられたものより高い重みが割り当てられなければならないためである。新しい接続ポイントに割り当てられた重みがより高くない場合、ＨＡは、順方向リンクデータを新しい接続ポイントに導かないことになる。新しい順方向リンクを確立するためにより高い重みが必要とされるものの、任意の１個の基地局に割り当てられた重みは、永続的に増大し得ないため、ＭＯＮＡＭＩ概念によって用いられる重み方式は、逆方向のデータ受信を維持しながら、データ接続ポイントを現在の基地局に移動させる、このアプリケーションには不適切である。
【００１０】
加えて、ＭＯＮＡＭＩの複数のバインディング方式では、順方向リンクと逆方向リンクのバインディングは互いに依存する。すなわち、順方向リンクのバインディングは、逆方向リンクに影響を及ぼし、逆も同様である。これは、ＭＯＮＡＭＩの複数のバインディング方式では、逆方向リンクおよび順方向リンクは特定されず、したがって、すべてのバインディングは、バインディングの重みに基づいて、任意の時点で、逆方向リンクデータおよび順方向リンクデータの両方を受信することが可能であるためである。例えば、第１のバインディングが５の重みを有し、第２のバインディングが６の重みを有する場合、第１のバインディングは、逆方向リンクデータを送信することが可能であるが、順方向リンクデータを受信しないことになる。しかし、すべてのその他のバインディングが５未満の重みを有する場合、第１のバインディングは、順方向リンクデータを受信して、逆方向リンクデータを送信することになる。したがって、ＭＯＮＡＭＩの複数のバインディング方式では、バインディングが順方向リンクデータを送信することが可能であるかどうかは、その他のバインディングの状態に依存する。
【００１１】
したがって、任意の時点で、データが２つ以上のバインディングの全域で通信されることを可能にし、特に、複数の基地局が、順方向リンクデータを受信している基地局から独立して、逆方向リンクデータを送信することを可能にする、ＭＩＰ、およびＰＭＩＰなどの派生物向けの複数のバインディング方式を開発する必要が存在する。
【発明の概要】
【００１２】
以下は、１つまたは複数の態様の基本的な理解をもたらすために、かかる態様の簡素化された概要を提示する。この概要は、すべての企図される態様の広範囲にわたる概要ではなく、すべての実施形態の主要な要素もしくは重要な要素を識別すること、または任意のもしくはすべての実施形態の範囲を描写することが意図されない。その唯一の目的は、後に提示されるより詳細な説明の前置きとして、１つまたは複数の実施形態のいくつかの概念を簡素化された形で提示することである。
【００１３】
移動体インターネットプロトコル（ＭＩＰ）ネットワーク環境における複数のバインディングのための方法、装置、システム、およびコンピュータプログラム製品が提供される。確立される複数のバインディングは、順方向リンクバインディングが逆方向リンクから結合解除され、またはそうでない場合は、逆方向リンクに影響を及ぼさず、逆も同様であるように、互いから独立している。一態様によれば、複数の逆方向リンクだけのバインディングが、アクセス端末向けのアクティブな経路セット内で確立され得る。加えて、いくつかの態様によれば、順方向リンクバインディングおよび逆方向リンクバインディングを可能にする単一の一次バインディングが確立され得る。任意の時点で、１つの一次バインディングだけが、関連するアクセス端末ごとに維持されることが可能である。アーキテクチャに応じて、バインディングは、アクセス端末によってまたは基地局によって生成され得る。
【００１４】
一態様によれば、複数の移動体インターネットプロトコル（ＭＩＰ）バインディングを確立するための方法が定義される。この方法は、第１のネットワークエンティティとの逆方向リンクだけのバインディングをセットアップすることと、第２のネットワークエンティティとの順方向リンクバインディングをセットアップすることとを含む。逆方向リンクだけのバインディングは、順方向リンクバインディングから独立してセットアップされる。加えて、この方法は、第１のネットワークエンティティを介して逆方向リンク上でデータを送信することと、第２のネットワークエンティティを介して送信されたデータ順方向リンクデータを受信することとを含む。
【００１５】
この方法の１つのオプションの態様では、逆方向リンクだけのバインディングをセットアップすることは、対応する複数のネットワークエンティティとの複数の逆方向リンクだけのバインディングをセットアップすることをさらに含み得る。かかる態様では、逆方向リンク上でデータを送信することは、複数の逆方向リンクだけのバインディングのうちのいずれか１つの上で、対応するネットワークエンティティに通信を送信することをさらに含み得る。
【００１６】
この方法のもう１つのオプションの態様では、逆方向リンクだけのバインディングをセットアップすることは、アクセス端末から第１のネットワークエンティティにバインディング要求を通信することと、第１のネットワークエンティティによるそのバインディング要求の受信に応答して、第１のネットワークエンティティからバインディング登録エンティティに逆方向リンクだけの拡張を含む登録要求を通信することとをさらに含む。逆方向リンクだけの拡張は、その登録要求を逆方向リンクだけのバインディングに適用可能として識別するように機能する。バインディング登録エンティティは、ホームエージェント（ＨＡ）、アクセスゲートウェイ（ＡＧＷ）などであり得る。
【００１７】
この方法のさらにもう１つのオプションの態様では、順方向リンクバインディングをセットアップすることは、任意の時点で、関連するアクセス端末ごとに１つの順方向リンクバインディングだけを維持することをさらに含み得る。この点で、順方向リンクバインディングは、別の基地局に移動されることが可能であるが、任意の時点で、複数の順方向リンクバインディングを維持している可能性はない。
【００１８】
この方法のもう１つの代替の態様によれば、順方向リンクバインディングをセットアップすることは、第２のネットワークエンティティとの、順方向リンクバインディングおよび逆方向リンクバインディングを含む一次バインディングをセットアップすることをさらに含み得る。かかる態様では、一次バインディングをセットアップすることは、１つまたは複数のリンクの品質測定を決定することと、その品質測定に基づいて、一次バインディング向けのリンクを選択することとをさらに含み得る。
【００１９】
加えて、順方向リンク／一次バインディングは、別のネットワークエンティティに移動されることが可能であり、したがって、この方法は、一次バインディングを第３のネットワークエンティティに移動させることをオプションで含み得る。かかる態様では、一次バインディングを第３のネットワークエンティティに移動させることは、第３のネットワークエンティティに対するリンクの品質が、第２のネットワークエンティティに対するリンクの品質に勝って好ましいことを決定することをさらに含み得る。加えて、一次バインディングを第３のネットワークエンティティに移動させることは、一次バインディング移動要求を第３のネットワークエンティティに通信することと、第３のネットワークエンティティによるその一次バインディング移動要求の受信に応答して、逆方向リンクだけの拡張が欠如した登録要求を生成して、それを第３のネットワークエンティティからバインディング登録エンティティに通信することとをさらに含み得る。逆方向リンクだけの拡張の欠如は、その登録が一次バインディング移動要求であることを示す。
【００２０】
一態様では、この方法は、ＨＡ、ＡＧＷなど、第３のネットワークエンティティとのシグナリングだけのバインディングをセットアップすることをさらに含み得る。かかる態様では、シグナリングだけのバインディングがセットアップされると、この方法は、第３のネットワークエンティティから、アクセス端末、基地局など、シグナリングだけのバインディング開始エンティティにデータを転送することを中断することをさらに含み得る。加えて、この方法は、すべての一次バインディングおよびその他のシグナリングバインディングを除去することと、データがいつ利用可能であるかをシグナリングだけのバインディング開始エンティティに通知することとを含み得る。
【００２１】
この方法の一態様では、複数のＭＩＰバインディングを確立することは、複数のプロキシ移動体インターネットプロトコル（ＰＭＩＰ）バインディングを確立することとしてさらに定義される。この方法のかかる態様では、逆方向リンクだけのバインディングをセットアップすることは、基地局などの外部エージェントと第１のネットワークエンティティの間に逆方向リンクだけのバインディングをセットアップすることをさらに含むことが可能であり、順方向リンクバインディングをセットアップすることは、外部エージェントと第２のネットワークエンティティの間に順方向リンクバインディングをセットアップすることをさらに含み得る。
【００２２】
複数の移動体インターネットプロトコル（ＭＩＰ）バインディングを確立するように構成された少なくとも１つのプロセッサは、本革新のもう１つの態様を定義する。このプロセッサは、第１のネットワークエンティティとの逆方向リンクだけのバインディングをセットアップするための第１のモジュールと、第２のネットワークエンティティとの順方向リンクバインディングをセットアップするための第２のモジュールとを含む。逆方向リンクだけのバインディングは、順方向リンクバインディングから独立してセットアップされる。加えて、このプロセッサは、逆方向リンク上で第１のネットワークエンティティにデータを送信するための第３のモジュールと、第２のネットワークエンティティを介して送信された順方向リンクデータを受信するための第４のモジュールとを含む。
【００２３】
コンピュータ可読媒体を含むコンピュータプログラム製品が、もう１つの関係する態様を提供する。このコンピュータ可読媒体は、コンピュータに第１のネットワークエンティティとの逆方向リンクだけのバインディングをセットアップさせるための第１のコードのセットと、コンピュータに第２のネットワークエンティティとの順方向リンクバインディングをセットアップさせるための第２のコードのセットとを含む。逆方向リンクだけのバインディングは、順方向リンクバインディングから独立してセットアップされる。コンピュータ可読媒体は、コンピュータに逆方向リンク上でデータを第１のネットワークエンティティに送信させるための第３のコードのセットと、コンピュータに第２の基地局を介して送信された順方向リンクデータを受信させるための第４のコードのセットとをさらに含む。
【００２４】
第１のネットワークエンティティとの逆方向リンクだけのバインディングをセットアップするための手段と、第１のネットワークエンティティを除く第２の基地局と順方向リンクバインディングをセットアップするための手段とを含む装置によって、さらにもう１つの関係する態様が提供される。この装置は、逆方向リンク上で第１のネットワークエンティティにデータを送信するための手段と、第２のネットワークエンティティを介して送信された順方向リンクデータを受信するための手段とをさらに含む。
【００２５】
無線アクセス端末は、本革新のもう１つの態様を定義する。この装置は、プロセッサと、プロセッサと通信するメモリとを含むコンピュータプラットフォームを含む。この装置は、メモリ内に格納され、かつプロセッサと通信するリンクバインディングモジュールをさらに含む。このリンクバインディングモジュールは、第１のネットワークエンティティとの逆方向リンクだけのバインディングをセットアップし、第２のネットワークエンティティとの順方向リンクバインディングをセットアップするように動作可能である。順方向リンクだけのバインディングは、順方向リンクバインディングから独立してセットアップされる。この装置は、逆方向リンク上で第１のネットワークエンティティにデータを送信し、第２のネットワークエンティティを介して送信された順方向リンクデータを受信するように動作可能な、プロセッサと通信する通信モジュールも含む。
【００２６】
この装置の１つのオプションの態様では、リンクバインディングモジュールは、対応する複数のネットワークエンティティとの複数の逆方向リンクだけのバインディングをセットアップするようにさらに動作可能であり得る。かかる態様では、通信モジュールは、複数の逆方向リンクだけのバインディングのうちのいずれか１つの上で、対応するネットワークエンティティにデータを送信するようにさらに動作可能であり得る。
【００２７】
この装置のその他の代替の態様では、このリンクバインディングモジュールは、第１のネットワークエンティティに通信されるバインディング要求を生成するようにさらに動作可能であり得る。このバインディング要求は、追加の逆方向リンクだけをアクセス端末に対して設定されたアクティブな経路セットに追加することを要求するように動作可能である。
【００２８】
この装置のもう１つのオプションの態様では、リンクバインディングモジュールは、任意の時点で、アクセス端末に対して１つの順方向リンクバインディングだけを維持するようにさらに動作可能である。したがって、順方向リンクバインディングは、別のネットワークエンティティに移動され得るが、任意の時点で、２つ以上の順方向リンクバインディングが維持される可能性はない。
【００２９】
この装置のさらにもう１つの代替の態様は、リンクバインディングモジュールを、第２のネットワークエンティティとの、順方向リンクバインディングおよび逆方向リンクバインディングを含む一次バインディングをセットアップするようにさらに動作可能であるとして定義する。かかる態様において、この装置は、メモリ内に格納され、かつプロセッサと通信するリンク品質評価モジュールをさらに含むことが可能であり、このリンク品質評価モジュールは、１つまたは複数のリンクの品質測定を決定し、その品質測定に基づいて、一次バインディング向けのリンクを選択するようにさらに動作可能である。
【００３０】
この装置のもう１つの態様では、このリンクバインディングモジュールは、ＨＡ、ＡＧＷなど、第３のネットワークエンティティとのシグナリングだけのバインディングをセットアップするようにさらに動作可能であり得る。シグナリングだけのバインディングは、第３のネットワークエンティティからアクセス端末へのデータの転送を中断して、すべての一次バインディングおよびその他のシグナリングバインディングを除去し、データがいつ利用可能であるかをアクセス端末に通知するように動作可能である。
【００３１】
この革新のもう１つの態様は、複数の移動体インターネットプロトコル（ＭＩＰ）バインディングを提供するための方法によって定義される。この方法は、第１のネットワークエンティティにおいて、バインディング開始エンティティから送信された順方向リンクバインディング要求を受信することと、第２のネットワークエンティティにおいて、バインディング開始エンティティから送信された逆方向リンクだけのバインディング要求を受信することとを含む。この方法は、その順方向リンクバインディング要求の受信に基づいて、第１のネットワークエンティティとのアクセス端末向けの順方向リンクバインディングを確立することと、その逆方向リンクバインディング要求の受信に基づいて、第２のネットワークエンティティとのアクセス端末向けの逆方向リンクだけのバインディングを確立することとをさらに含む。逆方向リンクだけのバインディングは、順方向リンクバインディングから独立して確立される。
【００３２】
この方法の１つの代替の態様では、第２のネットワークエンティティにおいて受信することは、複数の第２のネットワークエンティティにおいて、バインディング開始エンティティから送信された逆方向だけのバインディング要求を受信することをさらに含み得る。かかる態様では、逆方向リンクだけのバインディングを確立することは、対応する複数の第２のネットワークエンティティのそれぞれと複数の逆方向リンクだけのバインディングを確立することをさらに含み得る。
【００３３】
この方法のさらにもう１つのオプションの態様では、第１のネットワークエンティティとの順方向リンクバインディングを確立することは、第１のネットワークエンティティにおいて、逆方向リンクだけの拡張を含む登録要求を生成することと、その登録要求を、ＨＡ、ＡＧＷなどのバインディング登録エンティティに通信することとをさらに含み得る。
【００３４】
この方法のもう１つの代替の態様では、順方向リンクバインディングを確立することは、その順方向リンクバインディングをアクセス端末向けの唯一の順方向リンクとして維持することをさらに含み得る。
【００３５】
加えて、順方向リンクバインディングを確立することは、第２のネットワークエンティティとのアクセス端末向けの一次バインディングを確立することをさらに含み得る。一次バインディングは、順方向リンクバインディングおよび逆方向リンクバインディングを含む。かかる態様では、この方法は、第３のネットワークエンティティにおいて、バインディング開始エンティティから送信された一次バインディング移動要求を受信することと、第３のネットワークエンティティにおいて、逆方向リンクだけの拡張が欠如した登録要求を生成することと、その登録要求をＨＡ、ＡＧＷなどのバインディング登録エンティティに通信することとをさらに含み得る。
【００３６】
この革新のさらなる態様は、複数の移動体インターネットプロトコル（ＭＩＰ）バインディングを提供するように構成された少なくとも１つのプロセッサによって提供される。このプロセッサは、第１のネットワークエンティティにおいて、バインディング開始エンティティから送信された順方向リンクバインディング要求を受信するための第１のモジュールと、第１のネットワークエンティティを除く、第２のネットワークエンティティにおいて、バインディング開始エンティティから送信された逆方向リンクだけのバインディング要求を受信するための第２のモジュールとを含む。このプロセッサは、その順方向リンクバインディング要求の受信に基づいて、第１のネットワークエンティティとのアクセス端末向けの順方向リンクバインディングを確立するための第３のモジュールと、その逆方向リンクバインディング要求の受信に基づいて、第２のネットワークエンティティとのアクセス端末向けの逆方向リンクだけのバインディングを確立するための第４のモジュールとをさらに含む。逆方向リンクだけのバインディングは、順方向リンクバインディングから独立して確立される。
【００３７】
コンピュータ可読媒体を含むコンピュータプログラム製品が、もう１つの態様を提供する。このコンピュータ可読媒体は、コンピュータに、第１のネットワークエンティティにおいて、バインディング開始エンティティから送信された順方向リンクバインディング要求を受信させるための第１のコードのセットと、コンピュータに、第２のネットワークエンティティにおいて、バインディング開始エンティティから送信された逆方向リンクだけのバインディング要求を受信させるための第２のコードのセットとを含む。この媒体は、コンピュータに、その順方向リンクバインディング要求の受信に基づいて、第１のネットワークエンティティとのアクセス端末向けの順方向リンクバインディングを確立させるための第３のコードのセットと、コンピュータに、その逆方向リンクバインディング要求の受信に基づいて、第２のネットワークエンティティとのアクセス端末向けの逆方向リンクだけのバインディングを確立させるための第４のコードのセットとをさらに含む。逆方向リンクだけのバインディングは、順方向リンクバインディングから独立して確立される。
【００３８】
装置が、この革新のさらにもう１つの態様を定義する。この装置は、第１のネットワークエンティティにおいて、バインディング開始エンティティから送信された順方向リンクバインディング要求を受信するための手段と、第２のネットワークエンティティにおいて、バインディング開始エンティティから送信された逆方向リンクだけのバインディング要求を受信するための手段とを含む。この装置は、その順方向リンクバインディング要求の受信に基づいて、第１のネットワークエンティティとのアクセス端末向けの順方向リンクバインディングを確立するための手段と、その逆方向リンクバインディング要求の受信に基づいて、第２のネットワークエンティティとのアクセス端末向けの逆方向リンクだけのバインディングを確立するための手段とをさらに含む。逆方向リンクだけのバインディングは、順方向リンクバインディングから独立して確立される。
【００３９】
第１のネットワークエンティティおよび第２のネットワークエンティティを含むネットワークシステムによってさらなる態様が定義される。第１のネットワークエンティティは、バインディング開始エンティティから送信された順方向リンクバインディング要求を受信して、その順方向リンクバインディング要求の受信に基づいて、第１のネットワークエンティティとのアクセス端末向けの順方向リンクバインディングを確立するように動作可能である。第２のネットワークエンティティは、第２のネットワークエンティティにおいて、バインディング開始エンティティから送信された逆方向リンクだけのバインディング要求を受信して、その逆方向リンクバインディング要求の受信に基づいて、第２のネットワークエンティティとのアクセス端末向けの逆方向リンクだけのバインディングを確立するように動作可能である。逆方向リンクだけのバインディングは、順方向リンクバインディングから独立して確立される。
【００４０】
システムの１つのオプションの態様では、第２のネットワークエンティティは、バインディング開始エンティティから送信された逆方向だけのバインディング要求を受信して、対応する複数の第２のネットワークエンティティのそれぞれと複数の逆方向リンクだけのバインディングを確立するように動作可能な複数の第２のネットワークエンティティをさらに含み得る。
【００４１】
もう１つの態様では、このシステムは、第２のネットワークエンティティから、逆方向リンクだけの拡張を含む登録要求を受信して、第２のネットワークエンティティをアクセス端末向けの逆方向リンクだけのバインディングとして登録するように動作可能なバインディング登録エンティティをさらに含み得る。
【００４２】
このシステムのさらなる代替の態様では、第１のネットワークエンティティは、その順方向リンクバインディングが移動されるまで、順方向リンクバインディングをアクセス端末向けの唯一の順方向リンクとして維持するようにさらに動作可能であり得る。加えて、第１のネットワークエンティティは、バインディング開始エンティティから送信された一次リンクバインディング要求を受信して、第２のネットワークエンティティとのアクセス端末向けの一次バインディングを確立するようにさらに動作可能であり得る。この一次バインディングは、順方向リンクバインディングおよび逆方向リンクバインディングを含む。しかもさらに代替の態様では、このシステムは、アクセス端末から送信された一次バインディング移動要求を受信して、第３の基地局とアクセス端末向けの一次バインディングを確立するように動作可能な、第２のネットワークエンティティを除く第３の基地局を含み得る。かかる態様では、このシステムは、第３の基地局から、逆方向リンクだけの拡張が欠如した登録要求を受信して、第３の基地局をアクセス端末向けの一次バインディングとして登録するように動作可能なバインディング登録エンティティを含み得る。
【００４３】
したがって、本明細書で説明され、特許請求される本態様は、ＭＩＰネットワーク環境において、独立した順方向リンクおよび逆方向リンクを有する複数のバインディングを提供する。互いから独立した順方向リンクバインディングおよび逆方向リンクバインディングを有することによって、あるリンクバインディングの確立は、別のリンクバインディングを確立することまたは維持することに影響を及ぼさない。一態様によれば、複数のバインディングは、アップリンク通信パケットを受信することが可能な複数の逆方向リンクだけのバインディングと、ダウンリンク通信パケットを送信するように動作可能な単一の順方向リンクバインディングとを含む。加えて、その他の態様によれば、順方向リンクバインディングおよび逆方向リンクバインディングだけを提供する単一の一次バインディングが確立され得る。
【００４４】
前述の目的および関係する目的を達成するために、１つまたは複数の態様は、以下で十分に説明され、特に、特許請求の範囲において指摘される特徴を備える。以下の説明および添付の図面は、１つまたは複数の態様のいくつかの例示的な特徴を詳細に記載する。しかし、これらの特徴は、様々な態様の原理が用いられることが可能な様々な方式のほんのいくつかを示し、この説明は、すべてのかかる態様およびそれらの均等物を含むことが意図される。
【００４５】
開示される態様は、以下で、類似の名称がその要素を示す、開示される態様を限定するのではなく例示するために提供される添付の図面に関して説明される。
【図面の簡単な説明】
【００４６】
【図１】態様による、移動体インターネットプロトコル（ＭＩＰ）に複数のバインディングを提供するためのシステムを示すブロック図。
【図２】本革新の態様に関して実装され得る、ウルトラモバイルブロードバンド（ＵＭＢ）ネットワークを示すブロック図。
【図３】態様によるＵＭＢとエボリューションデータオプティマイズド（Evolution-Data Optimized）（ＥＶＯ−ＤＯ）ネットワークの間の接続インターフェースを示す、ＵＭＢ収束アクセスネットワーク（UMB converged access network）を示すブロック図。
【図４】もう１つの態様による、例示的なアクセス端末を示すブロック図。
【図５】態様による、例示的な拡張基地局（ｅＢＳ）を示すブロック図。
【図６】本革新の態様による、アクティブな経路セットにバインディングを追加することと、一次バインディング移動とを示す呼の流れ図。
【図７】本革新の態様による、アクティブな経路セットにおけるバインディングの削除を示す呼の流れ図。
【図８】本明細書で開示される態様による、初期の電力上昇、後続の経路追加、および一次バインディング／ＤＡＰ移動に関するＰＭＩＰバインディング更新を例示する呼の流れ図。
【図９】本革新のもう１つの態様による、アクセス端末によって開始された接続閉鎖（connection close）（すなわち、ＡＴがアイドルになる）に関するシグナリングフローの例を示す呼の流れ図。
【図１０】本革新の態様による、ＡＴがアイドルな場合に、アクセス端末（ＡＴ）にページングする例を示す呼の流れ図。
【発明を実施するための形態】
【００４７】
次に、図面を参照して、様々な態様が説明される。以下の説明では、説明のために、１つまたは複数の態様の十分な理解をもたらす目的で、多数の特定の詳細が記載される。しかし、かかる（１つまたは複数の）態様は、これらの特定の詳細なしに実施され得ることは明らかであり得る。
【００４８】
加えて、本開示の様々な態様が下で説明される。本明細書の教示は、様々な形態で実施されることが可能であり、本明細書で開示される任意の特定の構造および／または機能は単に代表に過ぎない点を理解されたい。本明細書の教示に基づいて、当業者は、本明細書で開示された態様は、任意のその他の態様から独立して実装されることが可能であり、これらの態様のうちの２つ以上が様々な形で組み合わされることが可能である点を理解されたい。例えば、本明細書に記載される任意の数の態様を使用して、装置が実装されることおよび／または方法が実施されることが可能である。加えて、本明細書に記載される態様のうちの１つもしくは複数に加えて、または本明細書に記載される態様のうちの１つもしくは複数以外のその他の構造および／あるいは機能性を使用して、装置が実装されることならびに／または方法が実施されることが可能である。例として、本明細書で説明される方法、デバイス、システム、および装置の多くは、１つまたは複数の無線チャネルの特性を決定して、その決定された特性の重要さに一部基づいて、ハンドオーバ決定を実現するという状況に関して説明される。当業者は、類似の技法をその他の通信環境に適用することが可能であることを理解されたい。
【００４９】
本開示で使用される場合、「構成要素」、「モジュール」、「システム」などの用語は、ハードウェア、ファームウェア、ハードウェアとソフトウェアの組合せ、ソフトウェア、または実行中のソフトウェアなどであるが、これらに限定されない、コンピュータ関連のエンティティを含むことが意図される。例えば、構成要素は、プロセッサ上で実行しているプロセス、プロセッサ、オブジェクト、実行可能物、実行のスレッド、プログラム、および／またはコンピュータであってよいが、これらであると限定されない。例として、コンピューティングデバイス上で実行しているアプリケーションおよびコンピューティンデバイスは、両方とも構成要素であり得る。１つもしくは複数の構成要素は、プロセスおよび／または実行のスレッドの中に在局してよく、構成要素は、１つのコンピュータ上にローカライズされてよく、かつ／あるいは２つ以上のコンピュータ同士の間で分散されてもよい。加えて、これらの構成要素は、様々なデータ構造を格納している様々なコンピュータ可読媒体から実行され得る。これらの構成要素は、ローカルシステム内、分散システム内のもう１つの構成要素と相互作用している、かつ／または信号によってインターネットなどのネットワーク全域でその他のシステムと相互作用している１つの構成要素からのデータなど、１つもしくは複数のデータパケットを有する信号に従ってなど、局所的プロセスおよび／あるいは遠隔プロセスによって通信することが可能である。
【００５０】
さらに、有線端末であってよく、または無線端末であってもよい端末に関して、様々な態様が本明細書で開示される。端末は、システム、デバイス、加入者ユニット、加入者局、移動局、移動体、移動体デバイス、遠隔局、遠隔端末、アクセス端末、ユーザ端末、端末、通信デバイス、ユーザエージェント、ユーザデバイス、またはユーザ機器（ＵＥ）と呼ばれる場合もある。無線端末は、セルラ電話、衛星電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、コンピューティングデバイス、または無線モデムに接続されたその他の処理デバイスであり得る。さらに、基地局に関して、様々な態様が本明細書で説明される。基地局は、（１つまたは複数の）無線端末と通信するために利用されることが可能であり、アクセスポイント、ノードＢ、またはいくつかのその他の専門用語で呼ばれる場合もある。
【００５１】
さらに、「または」という用語は、排他的な「または」ではなく包括的な「または」を意味することが意図される。すなわち、その他の指定がない限り、または文脈から明らかでない限り、「ＸはＡまたはＢを用いる」は、当然の包括的な置換のいずれかを意味することが意図される。すなわち、「ＸはＡまたはＢを用いる」という記述は、以下の事例、すなわち、「ＸはＡを用いる」、「ＸはＢを用いる」、または「ＸはＡおよびＢの両方を用いる」のいずれかの下で満たされる。加えて、この出願および添付の特許請求の範囲において使用される場合、冠詞「ａ」および「ａｎ」は、その他の指定がない限り、または文脈から単数形を指すことが明らかでない限り、一般に、「１つまたは複数の」を意味するように解釈されるべきである。
【００５２】
本明細書で説明される技法は、ＣＤＭＡ、ＴＤＭＡ、ＦＤＭＡ、ＯＦＤＭＡ、ＳＣ−ＦＤＭＡおよびその他のシステムなど、様々な無線通信システムに関して使用され得る。「システム」および「ネットワーク」という用語は、多くの場合、交換可能に使用される。ＣＤＭＡシステムは、ユニバーサル地上無線アクセス（ＵＴＲＡ）、ｃｄｍａ２０００などの無線技術を実装することが可能である。ＵＴＲＡは、広帯域ＣＤＭＡ（Ｗ−ＣＤＭＡ）およびＣＤＭＡのその他の変形形態を含む。さらに、ｃｄｍａ２０００は、ＩＳ−２０００標準、ＩＳ−９５標準、およびＩＳ−８５６標準を網羅する。ＴＤＭＡシステムは、汎欧州デジタル移動電話方式（ＧＳＭ）などの無線技術を実装することが可能である。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなどの無線技術を実装することが可能である。ＵＴＲＡおよびＥ−ＵＴＲＡは、ユニバーサル移動体通信システム（ＵＭＴＳ）の一部である。３ＧＰＰ長期的エボリューション（ＬＴＥ）は、ダウンリンク上でＯＦＤＭＡを用い、アップリンク上でＳＣ−ＦＤＭＡを用いる、Ｅ−ＵＴＲＡを使用するＵＭＴＳのリリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）と名づけられた組織からの文書において説明される。加えて、ｃｄｍａ２０００およびＵＭＢは、「第３世代パートナーシッププロジェクト２」（３ＧＰＰ２）と名づけられた組織からの文書において説明される。さらに、かかる無線接続システムは、多くの場合、無対の許可されていないスペクトル、８０２．ｘｘ無線ＬＡＮ、ＢＬＵＥＴＯＯＴＨ（登録商標）、および任意のその他の短距離無線通信技術または長距離無線通信技術を使用する、ピアツーピア（例えば、移動体間）特別ネットワークシステムをさらに含み得る。
【００５３】
様々な態様または特徴が、いくつかのデバイス、構成要素、モジュールなどを含み得るシステムの点から提示される。様々なシステムは、追加のデバイス、構成要素、モジュールなどを含んでよく、かつ／または図面に関して議論されるデバイス、構成要素、モジュールなどのすべてを含まなくてもよい点を理解されたい。これらの手法の組合せが使用されることも可能である。
【００５４】
本態様によれば、方法、装置、システム、およびコンピュータプログラム製品は、複数のバインディング、特に、移動体インターネットプロトコル（ＭＩＰ）ネットワーク環境における独立した順方向リンクバインディングおよび逆方向リンクバインディングに関して定義される。一態様では、複数のＭＩＰバインディングは、複数のプロキシ移動体インターネットプロトコル（ＰＭＩＰ）バインディングとしてさらに定義され得る。いくつかの態様では、複数の独立したバインディングは、複数の逆方向リンクだけのバインディングと、単一の順方向リンクバインディング、すなわち、一般に、順方向リンクおよび逆方向リンクを可能にする一次バインディングとを提供する。
【００５５】
下で図面を参照して議論されるように、ＭＩＰの複数のバインディングは、その他の場合、一次リンクまたはデータ接続ポイント（ＤＡＰ）と呼ばれる順方向リンクを横断せずに、アクティブな経路セット内のネットワークエンティティからバインディング登録エンティティへの逆方向リンクパケットの直接的なトンネリングを可能にするために、無線アクセス端末（ＡＴ）のアクティブな経路セット内の基地局、場合によっては、拡張基地局（ｅＢＳ）などのネットワークエンティティと、ホームエージェント（ＨＡ）またはアクセスゲートウェイ（ＡＧＷ）などのバインディング登録エンティティの間で実行される。バインディング登録エンティティがネットワークエンティティから、逆方向リンクだけのバインディング要求を示す登録要求を受信すると、バインディング登録エンティティは、このネットワークエンティティから逆方向リンクパケットを受信することが可能であり、バインディング登録エンティティは、このネットワークエンティティに順方向リンクパケットを送らない。逆に、バインディング登録エンティティが、逆方向リンクだけのバインディングを示さない標準の登録要求を受信した場合、バインディング登録エンティティは、このネットワークエンティティから逆方向リンクパケットを受信することが可能であり、バインディング登録エンティティは、順方向リンクパケットをこのネットワークエンティティに送信することが可能である。この点で、本態様は、バインディング登録エンティティにおいて複数のバインディングを利用することによって、複数の基地局が逆方向リンクデータをバインディング登録エンティティに送信することを実現する。
【００５６】
図１は、ウルトラモバイルブロードバンド（ＵＭＢ）ネットワークまたはデータ伝送および／もしくはシグナリング伝送のために移動体インターネットプロトコル（ＭＩＰ）に依存している任意のその他のネットワークなどの通信ネットワーク１０２において、複数のリンクバインディングを確立するためのシステム１００のブロック図を示す。このシステムは、通信ネットワーク１０２と無線通信する無線アクセス端末（ＡＴ）１０４を含む。通信ネットワーク１０２は、第１の基地局（ＢＳ）１０６および第２の基地局（ＢＳ）１０８など、１つまたは複数のネットワークエンティティを含む。ＵＭＢネットワークアーキテクチャにおいて、ＢＳ１０６およびＢＳ１０８は、拡張基地局（ｅＢＳ）としてさらに定義され得る。
【００５７】
ＡＴ１０４は、少なくとも１つのプロセッサ１１２と、プロセッサ１１２と通信するメモリ１１４とを有するコンピューティングプラットフォーム１１０を含む。ＡＴ１０２のメモリ１１４は、通信ネットワーク１０２内の基地局とリンクバインディングをセットアップするように動作可能なリンクバインディングモジュール１１６を含む。詳細には、リンクバインディングモジュール１１６は、逆方向リンクだけのバインディングが、通信をアップストリームデータおよび／またはシグナリングに限定するように、対応する第１の基地局１０６と、１つまたは複数の逆方向リンクだけのバインディングをセットアップするように、かつほとんどの態様では、複数の逆方向リンクだけのバインディングをセットアップするように動作可能である。複数の逆方向リンクだけのバインディングは、複数の基地局が、同時に、またはほぼ同時に、ＡＴ１０４にアップストリームデータを送信することを実現する。加えて、リンクバインディングモジュール１１６は、順方向リンクバインディングがアップストリームデータに通信を提供するように、対応する第２の基地局１０８と順方向リンクバインディングをセットアップするように動作可能である。
【００５８】
逆方向リンクバインディングおよび順方向リンクバインディングは、その他の場合、本明細書において、順方向リンクバインディングが逆方向リンクバインディングに影響を及ぼさないように、またはそうではない場合は、逆方向リンクバインディングを変更しないように、かつ逆方向リンクバインディングが順方向リンクバインディングに影響を及ぼさないように、またはそうでない場合は、順方向リンクバインディングを変更しないように、互いから独立していることを指す、互いから結合解除される点に留意されたい。したがって、リンクバインディングを形成する基地局はリンクを制御し、ＡＴ１０４とＢＳ１０６および／または１０８の間に存在するその他のバインディング状態に依存しない。
【００５９】
ＡＴ１０４に関連する複数のバインディングは、任意の所与の時点で、ＡＴ１０４と通信していることが可能な基地局のアクティブな経路セットを形成する。このアクティブな経路セットは、ＡＴ１０４がある地理的位置から別の地理的位置に移動するとき、依然として動的である。
【００６０】
一態様では、リンクバインディングモジュール１１６は、任意の１個の基地局と、その他の場合は、データ接続ポイント（ＤＡＰ）と呼ばれる一次リンクバインディングをセットアップするようにさらに動作可能である。この一次リンクバインディングは、順方向リンクバインディングおよび逆方向リンクバインディングを含む。したがって、一次リンクバインディングは、順方向リンク通信を受信して、逆方向リンク通信を送信することが可能である。本態様によれば、任意の時点で、ＡＴ１０４は、１つの順方向リンクバインディングだけを維持することが可能であり、したがって、一次リンクバインディングは、順方向リンクバインディングを含むため、ＡＴ１０４は、１つの一次リンクバインディングだけを維持することが可能である。
【００６１】
一態様では、逆方向リンクだけのバインディングは、経路要求メッセージを目標ＢＳ１０６に送信し、次に、アクセスゲートウェイ（ＡＧＷ）１２２など、バインディング登録エンティティに通信される登録要求をＢＳ１０６において生成することによって、セットアップされ得る。この登録要求は、バインディングリンクを逆方向リンクだけのバインディングとして確立するように機能する逆方向リンクだけの拡張／識別子を含む。順方向リンク／一次バインディングは、経路要求を目標ＢＳ１０８に送信し、次に、ＡＧＷ１２２に通信される登録要求をＢＳ１０８において生成することによって設定され得る。登録要求における逆方向リンクだけの拡張／識別子の欠如は、当該要求が順方向リンク／一次リンクをセットアップするため、すなわち、ある１つのＢＳから別のＢＳへの一次リンクの移動（すなわち、再設定）のためであることを示す。
【００６２】
ＡＴ１０４は、プロセッサ１１２と通信中であり、かつ（１つまたは複数の）逆方向リンク上で第１の基地局１０６に通信を送信して、順方向リンク上で第２の基地局１０８から通信を受信するように動作可能な通信モジュールをさらに含む。
【００６３】
加えて、ＡＴ１０４のメモリ１１４は、リンクに関する品質測定を決定するように動作可能なリンク品質評価モジュール１２０を含み得る。パイロット信号強度などの品質測定は、リンクバインディングのアクティブな経路セットにどのリンクを追加するか、および／またはリンクバインディングのアクティブな経路セットからどのリンクを削除するかを決定するため、かつクティブな経路セット内で、一次バインディングがいつ別の基地局に移動または再設定されるべきかを決定するために使用され得る。代替の態様では、リンク品質評価モジュールの機能性は、ネットワークエンティティによって実行され得る。
【００６４】
図２は、本明細書で説明される様々な態様に関して実装され得るウルトラモバイルブロードバンド（ＵＭＢ）ネットワーク１２４アーキテクチャのブロック図例示を示す。ＵＭＢネットワーク１２４は、（図１に示される第１のＢＳ１０６または第２のＢＳ１０８などの）拡張基地局（ｅＢＳ）１２６などのネットワークエンティティと、セッション基準ネットワークコントローラ（ＳＲＮＣ）１２８と、アクセスゲートウェイ１２２などのバインディング登録エンティティとを含む。ＵＭＢネットワーク１２４は、移動体電話、パーソナルデータアシスタント、移動体対応ラップトップコンピュータなど、加入者デバイスであるアクセス端末（ＡＴ）１０４にＩＰデータ接続性を提供する。
【００６５】
ｅＢＳ１２６は、無線（ＯＴＡ）シグナリングと、無線アクセスネットワークに対する接続性のためにＡＴ１０４によって使用されるユーザデータトランスポートとを提供する。加えて、ｅＢＳ１２６は、ＡＴ１０４にレイヤ２接続ポイントを提供し、本態様によれば、逆方向リンクおよび／または順方向リンクのためのレイヤ１接続ポイントとして機能することが可能である。ｅＢＳ１２６は、数ある機能の中でも、無線リンクプロトコル（ＲＬＰ）レベルにおいて、ＯＴＡ伝送／受信向けのパケットの暗号化／復号、ＯＴＡ伝送に関するスケジューリング、ヘッダ圧縮なども提供する。
【００６６】
ＳＲＮＣ１２８は、（図３に示される）収束アクセスネットワーク（ＣＡＮ）において、ＡＴに関する無線アクセス特定情報を維持する。ＳＲＮＣ１２８は、セッション基準（すなわち、交渉されたエアインターフェースコンテキストに関するセッションストレージポイント（session storage point））を維持し、アイドル状態管理をサポートし、ＡＴ１０４がアイドルである場合、ページング制御機能を提供するなどの責任を有する。ＳＮＲＣ１２８は、ＡＴ１０４のアクセス認証を提供する責任も有し得る。ＳＲＮＣ１２８は、ｅＢＳ内に含まれることが可能であり、またはＳＲＮＣ１２８は、独立型のＳＮＲＣデバイスなど、別のデバイス内に物理的に配置されることも可能である。
【００６７】
ＡＧＷ１２２は、ＡＴ１０４に、パケットデータ網に対するＩＰ接続性のポイントを提供する、すなわち、ＡＧＷ１２２は、ＡＴ１０４に関する第１のホップルータである。ＡＧＷ１２２は、レイヤ３サービスおよび、ホットライニング（hot-lining）、政策執行などを含むが、これらに限定されない、より高いレイヤ機能に対する責任を有する。
【００６８】
図３を参照すると、ウルトラモバイルブロードバンド（ＵＭＢ）ネットワークとエボリューションデータオプティマイズド（ＥＶ−ＤＯ）ネットワークの間の接続インターフェースを例示する、ＵＭＢ収束アクセスネットワーク１３０のブロック図が提供される。図３に示されるＵＭＢネットワーク１３０は、図２に示されるネットワークと同じである。したがって、ＵＭＢネットワーク１３０および関連する要素の説明に関して、図２の議論を参照されたい。ＵＭＢネットワーク１３０のＡＧＷ１２２は、コアネットワーク１３２にＩＰ接続のポイントを提供する。コアネットワーク１３２は、数あるデバイスおよびエンティティの中でも、ホームエージェント（ＨＡ）１３４、認証、許可および課金サーバ１３６、ＩＰマルチメディアサブシステム（ＩＭＳ）１３８、政策および規則変更ルータ（Policy and Changing Rules Router）（ＰＣＲＲ）１４０などを含む。
【００６９】
ＨＡ１３４は、３ＧＰＰ２パケットデータ網において、移動度ソリューション（すなわち、セル間のハンドオフ）をＡＴ１０４に提供するために使用される。ＨＡ１３４は、インターネット１３５など、その他のネットワークに接続を提供する。加えて、進化型ネットワークにおいて、ＨＡ１３４は、技術間移動度（すなわち、ネットワーク間のハンドオフ）を提供することが可能である。ＡＡＡサーバ１３６は、ネットワークセッションのために必要なユーザ認証および許可機能、ならびに、任意の課金機能をＡＴ１０４に提供する。３ＧＰＰネットワーク、３ＧＰＰ２ネットワークなどにおいて実装されるＩＭＳ１３８は、音声ネットワーク、データネットワーク、シグナリングネットワーク、および制御ネットワークを含むすべての包括的なＩＰベースの無線ネットワークを定義するための機能性を含む。ＰＣＣＲ１４０は、ＡＧＷに必要な規則を提供する政策および規則変更機能を含む。これらの規則の目的は、サービスデータフローに属するパケットを検出すること、サーブデータフローに政策制御を提供すること、サービスデータフローに適用可能な料金請求パラメータを提供することなどである。
【００７０】
コアネットワーク１３２内のそれぞれのデバイスおよび／またはエンティティは、パケットデータ交換ノード１４２を介して、ＥＶ−ＤＯネットワーク１４１に接続性を提供する。ＰＤＳＮ１４２は、既存のコアネットワーク１３２、またはＣＤＭＡ２０００  １Ｘなど、任意のその他のネットワークにおいてＩＰ接続性のポイントを提供するノードである。加えて、ＰＤＳＮ１４２は、データオプティマイズドベースステーションコントローラ（Data Optimized Base Station Controller）（ＤＯ  ＢＳＣ）１４４に接続を提供し、ＢＳＣ１４４は、データオプティマイズドベーストランシーバステーション（Data Optimized Base Transceiver Station）（ＤＯ  ＢＴＳ）１４６に接続のポイントを提供する。
【００７１】
図４を参照すると、一態様では、アクセス端末１０４は、無線通信システム上で動作可能な、移動体電話などの移動体通信デバイスを備える。理解され得るように、ＵＭＢネットワークに加えて、多くの場合、異なるスペクトル帯域幅および／または異なるエアインターフェース技術を用いる、様々な無線通信システムが存在する。例示的なシステムは、ＣＤＭＡ（ＣＤＭＡ２０００、ＥＶ  ＤＯ、ＷＣＤＭＡ）、ＯＦＤＭＡ、またはＯＦＤＭＡ（フラッシュＯＦＤＭ、８０２．２０、ＷｉＭＡＸ）、ＦＤＤもしくはＴＤＤ許可されたスペクトルを使用するＦＤＭＡ／ＴＤＭＡ（ＧＳＭ）システム、多くの場合、無対の許可されていないスペクトル、および８０２．ｘｘ無線ＬＡＮ技術またはＢＬＵＥＴＯＯＴＨ技術を使用する、ピアツーピア（例えば、移動体間）特別ネットワークシステムを含む。
【００７２】
前述のように、アクセス端末１０４は、本明細書で説明される構成要素および機能のうちの１つまたは複数に関連する処理機能を実行するためのプロセッサ構成要素１１２を含む。プロセッサ構成要素１１２は、プロセッサまたはマルチコアプロセッサの単一もしくは複数のセットを含み得る。さらに、処理構成要素１１２は、集中処理システムおよび／または分散処理システムとして実装され得る。加えて、処理構成要素１１２は、本態様に従って、リンク品質を決定することまたはリンクバインディングをセットアップすることが可能な処理サブシステムなど、１つもしくは複数の処理サブシステム、あるいは本態様を実行するために必要とされる任意のその他の処理サブシステムを含み得る。
【００７３】
アクセス端末１０４は、プロセッサ構成要素１１２によって実行されているアプリケーション／モジュールのローカルバージョンを格納するためなどのメモリ１１４をさらに含む。メモリ１１４は、ランダムアクセスメモリ（ＲＡＭ）、読出し専用メモリ（ＲＯＭ）、およびそれらの組合せを含み得る。加えて、（図４に示されない）いくつかの態様では、メモリ１１４は、リンクバインディングモジュール１１６、リンク品質評価モジュール１２２などを含む。
【００７４】
さらに、アクセス端末１０４は、本明細書で説明されるハードウェア、ソフトウェア、およびサービスを利用している１人または複数の当事者との通信を確立および維持することを実現する通信モジュール１１８を含む。通信モジュール１１８は、アクセス端末１０４上の構成要素同士の間でと同様に、アクセス端末１０４と、通信ネットワークの全域に配置された基地局１０６、１０８および／もしくは１２６ならびに／あるいはアクセス端末１０４に直列にまたは局所的に接続されたデバイスなど、外部ネットワークデバイスの間で通信を運ぶことが可能である。
【００７５】
加えて、アクセス端末１０４は、本明細書で説明される態様に関して用いられる情報、データベース、およびプログラムの大容量記憶を提供するハードウェアならびに／またはソフトウェアの任意の適切な組合せであり得るデータ格納１５０をさらに含み得る。オプションで、いくつかの態様では、データ格納１５０は、リンクバインディング１５４を含むアクティブな経路セット１５２を格納するように機能し得る。
【００７６】
アクセス端末１０４は、アクセス端末１０４のユーザからインプットを受信して、当該ユーザに対する提示のためにアウトプットを生成するように動作可能なユーザインターフェース構成要素１５６をさらに含み得る。ユーザインターフェース構成要素１５６は、キーボード、テンキー、マウス、タッチセンシティブディスプレイ、ナビゲーションキー、機能キー、マイクロフォン、音声認識構成要素、ユーザからインプットを受信することが可能な任意のその他の機構、またはそれらの任意の組合せを含むが、これらに限定されない１つもしくは複数の入力装置を含み得る。さらに、ユーザインターフェース構成要素１５６は、ディスプレイ、スピーカ、触覚フィードバック（haptic feedback）機構、プリンタ、ユーザにアウトプットを提示することが可能な任意のその他の機構、またはそれらの任意の組合せを含むが、これらに限定されない、１つもしくは複数の出力装置を含み得る。
【００７７】
図５を参照すると、一態様では、拡張基地局１２６などのネットワークエンティティは、順方向リンクバインディング要求または逆方向リンクバインディング要求を受信して、当該要求に従って、基地局において、ＡＧＷなどのバインディング登録エンティティとのバインディングリンクを確立するように動作可能である。ｅＢＳ１２６は、通信ネットワーク上で動作可能なネットワークサーバなど、任意のタイプのネットワークベースの通信デバイスを含む。通信ネットワークは、有線通信システムであってよく、もしくは無線通信システムであってよく、またはそれら両方の組合せであってもよく、その上でアクセス端末１０４が動作する無線ネットワークを含む。
【００７８】
ｅＢＳ１２６は、本明細書で説明される構成要素および機能のうちの１つまたは複数に関連する処理機能を実行するためのプロセッサ構成要素１６０を含む。プロセッサ構成要素１６０は、プロセッサまたはマルチコアプロセッサの単一もしくは複数のセットを含み得る。さらに、プロセッサ構成要素１６０は、集中処理システムおよび／または分散処理システムとして実装され得る。
【００７９】
ｅＢＳ１２６は、プロセッサ構成要素１６０によって実行されているアプリケーションのローカルバージョンを格納するためなどのメモリ１６２をさらに含む。メモリ１６２は、ランダムアクセスメモリ（ＲＡＭ）、読出し専用メモリ（ＲＯＭ）、およびこれらの組合せを含み得る。
【００８０】
さらに、ｅＢＳ１２６は、本明細書で説明されるハードウェア、ソフトウェア、およびサービスを利用している１人または複数の当事者との通信を確立および維持することを実現する通信モジュール１６４を含む。通信モジュール１６４は、ｅＢＳ１２６上で構成要素同士の間で、ならびにｅＢＳ１２６と、通信ネットワークの全域に配置されたデバイスおよび／またはｅＢＳ１２６に直列にもしくは局所的に接続されたデバイスを含めて、アクセス端末１０４などの外部デバイスの間で通信を運ぶことが可能である。一態様では、通信モジュール１２６は、リンクバインディング要求を受信して、登録要求をＡＧＷに送信するように動作可能である。
【００８１】
加えて、ｅＢＳ１２６は、本明細書で説明される態様に関して用いられる情報、データベース、およびプログラムの大容量記憶を提供するハードウェアおよび／またはソフトウェアの任意の適切な組合せであり得る記憶デバイス１６６をさらに含み得る。
【００８２】
ｅＢＳ１２６は、ｅＢＳ１２６のユーザからインプットを受信して、当該ユーザに対する提示のためにアウトプットを生成するように動作可能なユーザインターフェース構成要素１６８をさらに含み得る。ユーザインターフェース構成要素１６８は、キーボード、テンキー、マウス、タッチセンシティブディスプレイ、ナビゲーションキー、機能キー、マイクロフォン、音声認識構成要素、ユーザからインプットを受信することが可能な任意のその他の機構、またはそれらの任意の組合せを含むが、これらに限定されない、１つもしくは複数の入力装置を含み得る。さらに、ユーザインターフェース構成要素１６８は、ディスプレイ、スピーカ、触覚フィードバック機構、プリンタ、ユーザにアウトプットを提示することが可能な任意のその他の機構、またはそれらの任意の組合せを含むが、これらに限定されない、１つもしくは複数の出力装置を含み得る。
【００８３】
図６は、本革新の態様による、ＵＭＢネットワークにおいて、アクティブな経路セットにバインディングを追加することと、一次バインディング移動（すなわち、データ接続ポイント（ＤＡＰ）移動）とに関する呼の流れ図を示す。本明細書で説明される複数のバインディング方式は、ＵＭＢネットワークに限定されず、移動体インターネットプロトコル（ＭＩＰ）などに依存するその他のネットワークにおいて実装され得る点に留意されたい。事象２００において、アクセス端末（ＡＴ）１０４は、経路開放要求を目標ｅＢＳ１７０に送信する。この経路開放要求は、ＡＴ１０４がＡＴのアクティブな経路セットにｅＢＳを追加することを望んでいることを目標ｅＢＳ１７０に通知する。ＡＴ１０４は、パイロット信号強度など、１つまたは複数のパフォーマンス特性に基づいて、アクティブな経路セットに目標ｅＢＳ１７０を追加する決定を下すことになる。事象２０２において、目標ｅＢＳ１７０およびセッション基準ネットワークコントローラ（ＳＲＮＣ）は、認証情報などを交換する。認証プロセスのより詳細な議論は、図８に関して提供される。
【００８４】
事象２０４において、目標ｅＢＳ１７０は、目標ｅＢＳ１７０が、アクティブな経路セット割当てを受け入れることをＡＴに通知する経路開放受入れをＡＴ１０４に送信する。目標ｅＢＳ１７０が受入れを送信する時間を概算し、事象２０６において、目標ｅＢＳ１７０は、ＰＭＩＰ登録要求（ＰＭＩＰ  ＲＲＱ）などの登録要求をＡＧＷ１２２に送信する。ＰＭＩＰ  ＲＲＱは、ｅＢＳが逆方向リンクだけのバインディング（すなわち、アップストリームトラヒックだけ）を有することを望むことをＡＧＷ１２２に通知するように機能する逆方向リンクだけの拡張を含む。
【００８５】
事象２０８において、ＡＴ１０４は、逆方向リンクデータを目標ｅＢＳ１７０に通信することが可能である。しかし、目標ｅＢＳ１７０は、まだＡＧＷ１２２から登録応答を受信していないため、事象２１０において、目標ｅＢＳ１７０は、この場合、発信ｅＢＳ１７２である一次バインディング／データ接続ポイント（ＤＡＰ）に逆方向リンクデータを転送する。次に、事象２１２において、発信ｅＢＳ１７２は、逆方向リンクデータをＡＧＷ１２２に通信する。
【００８６】
事象２１４において、ＡＧＷ１２２は、ＰＭＩＰ登録応答（ＲＲＰ）などの登録応答を生成して、これを目標ｅＢＳ１７０に通知し、ＡＴ１０４に対する逆方向リンクバインディングを確認する。逆方向リンクバインディングが目標ｅＢＳ１７０において確認されると、事象２１６において、ＡＴ１０４は、逆方向リンクデータを目標ｅＢＳ１７０に送信し、事象２１８において、目標ｅＢＳ１７０は、逆方向リンクデータをＡＧＷ１２２に転送する。
【００８７】
事象２２０において、アクセス端末（ＡＴ）１０４は、発信拡張基地局（ｅＢＳ）１７２と既存の一次バインディングを有するため、アクセスゲートウェイ（ＡＧＷ）１２２は、順方向リンクデータを発信ｅＢＳ１７２に送信し、事象２２２において、発信ｅＢＳ１７２は、順方向リンクデータをＡＴ１０４に通信する。
【００８８】
新しい地理的位置に対するＡＴ１０４の移動に基づき得る新しいネットワーク特性は、新しい一次バインディング（すなわち、順方向リンクデータを受信するために割り当てられた新しい基地局）をもたらし得る。したがって、事象２２４において、ＡＴ１０４は、データ接続ポイント（ＤＡＰ）移動要求を目標ｅＢＳ１７０に送信する。ＤＡＰ移動要求は、ＡＴ１０４が一次バインディングを目標ｅＢＳに割り当てることを望むことを目標ｅＢＳ１７０に示す。次に、事象２２６において、目標ｅＢＳ１７０は、プロキシ移動体ＩＰ（ＰＭＩＰ）ＲＲＱをＡＧＷ１２２に送信する。ＰＭＩＰ  ＲＲＱは、逆方向リンクだけの拡張を含まないため、ＡＧＷ１２２は、一次バインディング割当てを目標ｅＢＳ１７０に移動させる。事象２２８において、ＡＧＷ１２２は、目標ｅＢＳ１７０にその一次バインディング状態を通知するＰＭＩＰ登録応答（ＲＲＰ）を目標ｅＢＳ１７０に送信する。次に、事象２３０において、目標ｅＢＳ１７０は、新しい一次バインディング／ＤＡＰ割当てをＡＴ１０４に通信する。
【００８９】
事象２３２において、一次バインディング／ＤＡＰが目標ｅＢＳ１７０に割り当てられると、順方向リンクデータがＡＧＷ１２２から目標ｅＢＳ１７０に通信され、事象２３４において、順方向リンクデータが、目標ｅＢＳ１７０からＡＴ１０４に通信される。この時点で、発信ｅＢＳ１７２は、もはや一次バインディングではなく、逆方向リンクだけの状態に移動する。すなわち、発信ｅＢＳ１７２は、順方向リンクデータダウンストリームをもはや受信することができず、逆方向リンクデータアップストリームを送信することだけが可能である。
【００９０】
図７を参照すると、本革新の態様による、ＵＭＢネットワークにおけるアクティブな経路セット内のバインディングの削除の例を示す呼の流れ図が提示される。ＡＴ１０４が、逆方向リンクだけのバインディングとして、アクティブな経路セット内にｅＢＳ−Ａ１７４を含む現状で、事象３００において、ＡＴ１０４は、逆方向リンクデータをｅＢＳ−Ａ１７４に送信する。次に、事象３０２において、ｅＢＳ−Ａ１７４は、逆方向リンクデータをアクセスゲートウェイ（ＡＧＷ）１２２に通信する。
【００９１】
事象３０４において、ＡＧＷ１２２は、順方向リンクデータを現在の一次バインディング／データ接続ポイント（ＤＡＰ）１７６に通信し、次に、事象３０６において、ＤＡＰ１７６は、順方向リンクデータをＡＴ１０４に転送する。
【００９２】
事象３０８において、負荷係数などに基づいて、ＡＴ１０４は、逆方向リンク経路に切り替えることを決定する。したがって、事象３１０において、逆方向リンクデータは、ＤＡＰ１７６に通信され、事象３１２において、ＤＡＰ１７６は、逆方向リンクデータをＡＧＷ１２２に転送する。
【００９３】
事象３１４において、ＡＴ１０４は、アクティブな経路セットからｅＢＳ−Ａ１７４を除去する決定を下す。ｅＢＳ−Ａ１７４を除去する決定は、ＢＳがＡＴ１０４と最少信号強度を維持しないこと、または任意のその他のパフォーマンス係数に基づき得る。したがって、事象３１６において、ＡＴ１０４は、ｅＢＳ−Ａ１７４に経路閉鎖要求を送信する。その経路閉鎖要求の受信に応答して、事象３１８において、ｅＢＳ−Ａ１７４は、ＰＭＩＰ登録要求（ＲＲＱ）を生成して、これをＡＧＷ１２２に通信する。ＰＭＩＰ  ＲＲＱは、フラッグおよび、ゼロに設定された存続期間フラッグなどの経路閉鎖識別子など、逆方向リンクだけの指示子を含む。したがって、ＰＭＩＰ  ＲＲＱは、ｅＢＳ−Ａ１７４がＡＴのアクティブな経路セットから除去されて、ＡＧＷ１２２とのバインディングが閉鎖されることを要求する。事象３２０において、ＡＧＷ１２２は、アクティブな経路セットからのｅＢＳ−Ａ１７４の除去を確認して、ＡＧＷ１２２とｅＢＳ−Ａ１７４の間のバインディングを閉鎖するというＰＭＩＰ  ＲＲＰを生成して、これを通信する。これにより、事象３２２において、ｅＢＳ−Ａ１７４は、ＡＴ１０４とｅＢＳ−Ａ１７４の間の経路を閉鎖する。
【００９４】
図８を参照すると、本明細で開示される態様による、ＵＭＢネットワークにおいて、初期の電力上昇、後続の経路追加、および一次バインディング／ＤＡＰ移動に関するＰＭＩＰバインディング更新を例示する呼の流れ図が提示される。ＡＧＷ１２２が、逆方向リンクだけの拡張を伴わない通常のＰＭＩＰ登録要求を受信する場合、ＡＧＷ１２２は、この特定のｅＢＳからパケットを受信して、この特定のｅＢＳにパケットを送信することが可能である。事象４００において、アクセス端末（ＡＴ）１０４は、無線ネットワークに対するアクセスを得るために、アクセス認証および許可プロセスを実行する。アクセス認証および許可の間、アクセスゲートウェイ（ＡＧＷ）１２２は、ホーム許可、認証および課金（ＨＡＡＡ）サーバ１８０から固定ＮＡＩ（ネットワークアドレス識別子）およびその他のパラメータを受信する。固定＿ＮＡＩは、ユーザ識別のために、ＡＧＷ１２２およびセッション基準ネットワークコントローラ（ＳＲＮＣ）１２８によって使用される。加えて、アクセス認証および許可の間、ＡＧＷ１２２は、ＡＴ１２２と関連付けられるプロキシ移動体ノード−アクセスノードランダムキー（ＰＭＮ−ＡＮ−ＲＫ）を生成する。事象４０２において、ＳＮＲＣ１２８は、ＡＧＷ１２２からＰＭＮ−ＡＮ−ＲＫおよび固定＿ＮＡＩを受信して、それに応じて、ＡＴ１０４を認証および許可する。拡張基地局−１（ｅＢＳ−１）１０８がアクティブな経路セット（すなわち、ＡＴ１０４が、任意の所与の時点で、現在通信することが可能な基地局のセット）に追加されている場合、ｅＢＳ−１  １８４は、アクセス認証および許可プロセスの間、ＰＭＩＰバインディングをＡＧＷ１２２に送信しない点に留意されたい。これは、ＡＴ１０４が認証されているのに先立って、ｅＢＳ−１  １８４が、ＡＧＷ  ＩＰアドレス、ＰＭＩＰキーなど、必須の情報を有さないためである。
【００９５】
事象４０４において、ｅＢＳ−１  １８４、拡張基地局−２（ｅＢＳ−２）１８６、およびＳＮＲＣ１２８は、ＳＮＲＣ１２８がＡＧＷ  ＩＤ、固定−ＮＡＩ、およびＰＭＮ−ＡＮ−ＲＫから導出されたプロキシ移動体ノード−アクセスノードホームエージェント（ＰＭＮ−ＡＮ−ＨＡ）キーをｅＢＳ−１  １８４に送信するインターオペラビリティ標準（Inter-Operability Standard）（ＩＯＳ）シグナリング交換を実行する。加えて、ＡＧＷ１２２においてＰＭＮ−ＡＮ−ＨＡキーを生成するために使用される臨時値も、ＳＲＮＣ１２８からｅＢＳ−１  １８４に送信される。
【００９６】
事象４０６において、ｅＢＳ−１  １８４は、リンクＩＤをＡＴ１０４に送信する。リンクＩＤは、ＡＴ１０４がＩＰレイヤと通信するために作成するＩＰインターフェースを表し、事象４０８において、ＡＴ１０４は、リンクＩＤをＩＰレイヤに提示する。次に、上位ＩＰレイヤは、リンクＩＤをその現在のリンクＩＤと比較して、そのリンクＩＤが、現在のリンクＩＤと異なる場合、ＩＰアドレス割当てがトリガされる。
【００９７】
事象４１０において、ＡＴ１０４は、データ接続ポイント（ＤＡＰ）移動要求をｅＢＳ−１  １８４に送信する。ｅＢＳ−１  １８４は、ジェネリックルーティングエンカプセレーション（Generic Routing Encapsulation）（ＧＲＥ）キーを有さないため、事象４１２において、ｅＢＳ−１  １８４は、ＰＭＩＰ登録要求（ＲＲＱ）をＡＧＷ１２２に送信する。ＰＭＩＰ  ＲＲＱは、ＩＯＳシグナリング（事象４０４）の間に受信されたｅＢＳ−１  ＩＰアドレス、固定＿ＮＡＩ、および臨時を含む。ＰＩＭＰ  ＲＲＱは、ＩＯＳシグナリング（事象４０４）の間に受信されたＰＭＮ−ＡＮ−ＨＡキーを使用することによって生成される移動体ノード−ホームエージェント（ＭＮ−ＨＡ）認証拡張をさらに含む。
【００９８】
事象４１４において、ＡＧＷ１２２は、ＰＭＩＰ登録応答（ＲＲＰ）をｅＢＳ−１  １８４に送信する。ＰＭＩＰ  ＲＲＰを送信するのに先立って、ＡＧＷ１２２は、ＰＭＮ−ＡＮ−ＨＡキーを使用することによって、ＭＮ−ＨＡ認証拡張を検証する。認証が成功した場合、ＡＧＷ１２２は、固定ＮＡＩに関連するＧＲＥキーを選択して、ＰＭＩＰ  ＲＲＰ内のＧＲＥ拡張を介して、そのＧＲＥキーを通信する。事象４１２において送信されたＰＭＩＰ ＲＲＱは、逆方向リンク（ＲＬ）だけの拡張を含んでいなかったため、これにより、ＡＧＷ１２２は、ｅＢＳ−１  １８４からデータパケット受信して、ｅＢＳ−１  １８４にデータパケットを送信することが可能である（すなわち、一次リンク／ＤＡＰとして機能する）点に留意されたい。事象４１６において、ｅＢＳ−１は、ＤＡＰ割当てをＡＴ１０４に通信する。
【００９９】
事象４１８において、ｅＢＳ−１  １８４とＳＲＮＣ１２８の間にＩＯＳシグナリングが確立され、ｅＢＳ−１  １８４は、ＳＮＲＣ１２８に、ＡＧＷ ＩＰアドレスおよびＧＲＥキーを通知する。オプションの事象４２０において、ＡＴ１２２がＩＰアドレス割当てを要求した場合、ＡＴ１０４およびＡＧＷ１２２は、ＩＰアドレス割当てを実行する。
【０１００】
事象４２２において、ＡＴ１０４は、経路開放要求をｅＢＳ−２  １８６に通信することによって、ｅＢＳ−２  １８６をアクティブな経路セットに追加する。事象４２４において、ｅＢＳ−２  １８６とＳＲＮＣ１２８の間でＩＯＳシグナリングが実行され、ｅＢＳ−２  １８６は、ＡＧＷ  ＩＤ、ＧＲＥキー、ＰＭＮ−ＡＮ−ＨＡキー、および、臨時をＳＲＮＣ１２８から受信する。事象４２６において、ｅＢＳ−２  １８６は、ｅＢＳ−２  ＩＰアドレス、固定＿ＮＡＩ、ＧＲＥ拡張、およびＭＮ−ＨＡ認証拡張に加えて、逆方向リンク（ＲＬ）だけの拡張を含む、ＰＭＩＰ  ＲＲＱをＡＧＷ１２２に送信する。ＡＧＷ１２２は、ＰＭＮ−ＡＮ−ＨＡキーを使用することによって、ＭＨ−ＨＡ認証拡張を検証し、認証が成功した場合、事象４２８において、ＡＧＷ１２２は、ＰＭＩＰ  ＲＲＰをｅＢＳ−２  １８６に通信する。ＰＭＩＰ  ＲＲＱは、ＲＬだけの拡張を含むため、ＡＧＷ１２２は、ｅＢＳ−２  １８６からパケットを受信することだけが可能であり、ｅＢＳ−２  １８６にパケットを送信することはできない点に留意されたい。事象４３０において、ｅＢＳ−２  １８６は、経路開放受入れをＡＴ１０４に通信する。
【０１０１】
事象４３０において、ＡＴ１０４は、ＤＡＰハンドオフを要求する一次リンク／ＤＡＰ移動要求をｅＢＳ−２  １８６に通信する。次に、事象４３２において、ｅＢＳ−２  １８６は、ＧＲＥキー、ＩＰアドレス、およびＭＮ−ＨＡ認証拡張を含むＰＭＩＰ  ＲＲＱをＡＧＷ１２２に送信する。ＡＧＷ１２２は、ＰＭＮ−ＡＮ−ＨＡキーを実装することによってＭＮ−ＨＡ認証拡張を検証する。認証が成功した場合、ＡＧＷ１２２は、事象４３４において、ＰＭＩＰ  ＲＲＰをｅＢＳ−２  １８６に通信する。ＰＭＩＰ  ＲＲＱは、ＲＬだけの拡張を含んでいなかったため、ＡＧＷ１２２は、ｅＢＳ−２  １８６からデータパケットを受信して、ｅＢＳ−２  １８６にデータパケットを送信することが可能である点に留意されたい。事象４３６において、ｅＢＳ−２  １８６は、ＤＡＰ割当てをＡＴ１０４に送信する。
【０１０２】
加えて、データ伝送のための複数のバインディングを提供するために、本態様は、シグナリングなど、その他のネットワーク通信のための複数のバインディングも提供する。図９を参照すると、本革新のもう１つの態様による、ＵＭＢネットワークにおいて、アクセス端末によって開始された接続閉鎖（すなわち、ＡＴがアイドルになる）に関するシグナリングフローの呼の流れ図。事象５００において、ＡＴ１０４は、この例では、順方向リンクサービス提供ｅＢＳ（ＦＬＳＥ）であるｅＢＳ−１  １９０に接続閉鎖メッセージを送信する。
【０１０３】
ＡＴ１０４からの接続閉鎖メッセージの受信時に、事象５０２において、ｅＢＳ−１  １９０は、ＡＴによって開始された接続閉鎖識別子を用いて、ＩＰＴ−通知メッセージを、経路セット内のすべてのアクティブなノードと、図９でｅＢＳ−３として指定される一次バインディング／データ接続ポイント（ＤＡＰ）１９４とに送信する。ＩＰＴ−通知メッセージの受信時に、ｅＢＳ−３／ＤＡＰ１９４は、ページングモードに入り、ｅＢＳ−３／ＤＡＰ１９４がＡＴ１０４向けのＩＰパケットを受信するときはいつでも、（図９に示されない）ＩＡＳページング要求メッセージをＳＲＮＣ１２８に送信することが可能である。事象５０４において、ｅＢＳ−３／ＤＡＰ１９４は、ＩＰＴ通知の受信を承認する肯定応答メッセージをｅＢＳ−１  １９０に送信する。この時点で、ＡＴ１０４は、ＡＴ１０４に割り当てられた任意のＲＦリソースを直ちに解放することが可能であるが、ＰＭＩＰバインディングおよびページングをサポートするために必要な情報は維持する。
【０１０４】
事象５０６において、ｅＢＳ−３／ＤＡＰ１９４が、アイドルなＡＴ１０４向けのデータをバッファできない場合、ｅＢＳ３／ＤＡＰ１９４は、シグナリングだけのバインディング拡張を伴うＰＭＩＰ登録要求（ＲＲＱ）メッセージをＡＧＷ１２２に送信する。ＳＮＲＣ１２８は、ＰＭＩＰ  ＲＲＱメッセージが送信された後はいつでも、ＰＭＩＰシグナリングバインディングをｅＢＳ−３／ＤＡＰ１９４からＳＮＲＣ１２８に移動させることが可能である点に留意されたい。事象５０８において、ＰＭＩＰ  ＲＲＱの受信時に、ＡＧＷ１２２は、ＰＩＭＰ登録応答（ＲＲＰ）メッセージをｅＢＳ−３／ＤＡＰ１９４に送信する。ＡＧＷ１２２がシグナリングだけのバインディング登録を受け入れる場合、ＡＧＷ１２２は、任意の既存のシグナリングだけのバインディングまたは一次バインディングを除去し、任意の既存の一次バインディングは、逆方向リンクだけのバインディングになる。この時点で、ＡＧＷ１２２がＡＴ１０４向けのＩＰパケットを受信した場合、ＡＧＷ１２２は、このパケットをバッファして、ＡＴ１０４のページングを開始することが可能である。この時点で、ＡＧＷ１２２は、受信される任意の今後のデータをｅ−ＳＢ−３／ＤＡＰ１９４に転送することを停止して、代わりに、図１０に示され、下で説明される呼のフローに従う。
【０１０５】
事象５１０において、ｅＢＳ−１  １９０は、ＡＴによって開始された接続閉鎖指示子を用いて、ＩＰＴ−通知メッセージをＳＮＲＣ１２８に送信する。ＳＮＲＣ１２８によるＩＰＴ−通知メッセージの受信時に、事象５１２において、ＳＮＲＣ１２８は、アイドルモードに入り、ＩＰ−通知肯定応答メッセージを用いて、ｅＢＳ−１  １９０に応答する。事象５１４において、ｅＢＳ−１  １９０は、ＡＴによって開始された接続閉鎖指示子を用いて、ＩＰＴ−通知メッセージをｅＢＳ−２  １９２に送信する。ｅＢＳ−２  １９２によるＩＰＴ−通知メッセージの受信時に、事象５１６において、ｅＢＳ−２  １９２は、ＩＰ−通知肯定応答メッセージを用いて、ｅＢＳ−１  １９０に応答して、ＡＴ１０４に割り当てられた任意のＦＲリソースを速やかに解放する。ｅＢＳ−３／ＤＡＰ１９４、ＳＮＲＣ１２８、およびｅＢＳ−２  １９２に送信されたＩＰＴ−通知は、直列で示されるものの、並列で送信される（かつ応答される）ことが可能である点に留意されたい。
【０１０６】
図１０を参照すると、本革新の態様による、ＵＭＢネットワークにおいて、ＡＴがアイドルな場合に、アクセス端末（ＡＴ）１０４にページングするための呼の流れ図が提供される。この例は、ＡＴ１０４がアイドルになる場合、ｅＢＳ−４／ＤＡＰ１９９とＡＧＷ１２２の間でＰＭＩＰ一次バインディングが維持されることを想定する。
【０１０７】
事象６００において、ＡＴ１０４、ＳＲＮＣ１２８、およびｅＢＳ−４／ＤＡＰ１９９はアイドル状態にあり、ＡＴ１０４と順方向リンクサービス提供ｅＢＳの間の接続は閉鎖されている。いくつかの例では、ｅＢＳ−４／ＤＡＰ１９９は、アイドル状態の間、データをバッファする目的でＡＧＷ１２２をトリガするためにフロー制御を実行していることが可能である。ＡＧＷ１２２においてデータをバッファすることは、ｅＢＳにおいてデータをさらにバッファする必要がないことを可能にする。
【０１０８】
事象６０２において、ｅＢＳ−４／ＤＡＰ１９９は、ＡＧＷ１２２からＡＴ１０４向けのデータを受信するか、または、ＡＧＷ１２２がデータをバッファする場合は、ＡＧＷ１２２もしくはシグナリングだけのバインディングを実行する任意のエンティティから、ＡＧＷ１２２がＡＴ１０４向けのデータを受信したことを示すＰＭＩＰ−データ通知メッセージを受信する。データの受信またはＰＭＩＰ−データ通知の受信は、アイドルなＡＴ１０４のページングを要求するようにｅＢＳ−４  １９９をトリガする。
【０１０９】
事象６０４において、ｅＢＳ−４／ＤＡＰ１９９は、ページの優先度、ＡＧＷ１２２におけるフロー制御の状態、およびページング領域が知られていないことを示すフラッグを含むＩＡＳ−ページング要求メッセージをＳＲＮＣ１２８に送信する。事象６０６において、ＳＮＲＣ１２８は、ＩＡＳ−ページング要求肯定応答メッセージを用いて、ＩＡＳ−ページング要求メッセージの受信に応答する。
【０１１０】
ＳＮＲＣ１２８がページング領域を決定した後で、事象６０８、６１０、および６１２において、ＳＮＲＣ１２８は、ＡＴ１０４のページング領域内で、それぞれのｅＢＳにＩＡＳ−ページメッセージを送信する。この例は、ｅＢＳ−１  １９６、ｅＢＳ−２  １９７、およびｅＢＳ−３  １９８が、ＡＴ１０４のページング領域内にあることを想定する。ＩＡＳ−ページングメッセージは、ＩＡＳ−ページ肯定応答メッセージが必要とされないことを示すためにゼロに設定され得る、必要とされるローカルファンアウトを含む。加えて、ＩＡＳ−ページメッセージは、無線でページング手順を開始するための時間周期およびページ要求の優先度を含み得る。
【０１１１】
事象６１４、６１６、および６１８において、ｅＢＳ−１  １９６、ｅＢＳ−２  １９７、およびｅＢＳ−３  １９８は、特定されたチャネルの全域で特定された時間にＡＴ１０４をページする。ＡＴ１０４がｅＢＳ−１  １９６から送信されたページを受信すると想定し、事象６２０において、ＡＴ１０４は、アクセス手順を実行することによってページに応答する。すなわち、ＡＴ１０４は、ｅＢＳ−１  １９６との経路を開放するために、経路開放要求メッセージをｅＢＳ−１  １９６に送信する。この時点で、呼のフローは、先に議論されたように、図８に従って進む。
【０１１２】
経路が開放されると、ＡＴ１０４がアイドルであったときに、ｅＢＳ−４／ＤＡＰ１９９がデータをバッファするようにセットアップされている場合、事象６２２において、任意のバッファされたデータは、ｅＢＳ−４  １９９からｅＢＳ−１  １９６に通信され、次いで、ＡＴ１０４に通信される。逆に、ＡＴ１０４がアイドルなときに、ＡＧＷ１２２がデータをバッファするようにセットアップされており、ｅＢＳ−４／ＤＡＰ１９９が、ｅＢＳ−４／ＤＡＰ１９９が一次バインディングとして残ることを決定した場合、ｅＢＳ−４／ＤＡＰ１９９は、順方向リンクデータを受信するために、ＡＧＷとＰＭＩＰバインディングを確立する。
【０１１３】
事象６２４において、順方向リンクサービス提供ｅＢＳであるｅＢＳ−１  １９６は、ＡＴ１０４向けの一次リンク／ＤＡＰになる。これにより、事象６２６において、後続の順方向リンクデータは、ＡＧＷ１２２からｅＢＳ−１  １９６に通信され、次いで、ＡＴ１０４に通信される。
【０１１４】
本明細書で開示された実施形態に関して説明された様々な例示的な論理、論理ブロック、モジュール、および回路は、本明細書で説明された機能を実行するように設計された汎用プロセッサ、デジタル信号プロセッサ（ＤＳＰ）、特定用途向け集積回路（ＡＳＩＣ）、フィールドプログラマブルゲートアレー（ＦＰＧＡ）もしくはその他のプログラマブル論理素子、ディスクリートゲートもしくはトランジスタロジック、ディスクリートハードウェア構成要素、またはそれらの任意の組合せの形で実装あるいは実行されることが可能である。汎用プロセッサは、マイクロプロセッサであり得るが、代替では、プロセッサは、任意の通常のプロセッサ、コントローラ、マイクロコントローラ、または状態機械であり得る。プロセッサは、コンピューティングデバイスの組合せ、例えば、ＤＳＰとマイクロプロセッサの組合せ、複数のマイクロプロセッサ、ＤＳＰコアと共に１つもしくは複数のマイクロプロセッサ、または任意のその他のかかる構成として実施されることも可能である。加えて、少なくとも１つのプロセッサは、上で説明されたステップおよび／または動作のうちの１つもしくは複数を実行するように動作可能な１つまたは複数のモジュールを備え得る。
【０１１５】
さらに、本明細書で説明された態様に関して説明された方法またはアルゴリズムのステップおよび／もしくは動作は、ハードウェアの形で直接的に、プロセッサによって実行されるソフトウェアモジュールの形で、あるいはそれら２つの組合せの形で実施されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能なディスク、ＣＤ−ＲＯＭ、または当技術分野で知られている任意のその他の形態の記憶媒体の中に在局し得る。例示的な記憶媒体は、プロセッサが記憶媒体から情報を読み取ること、かつ記憶媒体に情報を書き込むことが可能であるように、プロセッサに結合され得る。代替では、記憶媒体は、プロセッサと一体であり得る。さらに、いくつかの態様では、プロセッサおよび記憶媒体は、ＡＳＩＣ内に在局し得る。加えて、ＡＳＩＣは、ユーザ端末内に存局し得る。代替では、プロセッサおよび記憶媒体は、ユーザ端末内のディスクリート構成要素として在局し得る。加えて、いくつかの態様では、方法またはアルゴリズムのステップおよび／もしくは動作は、コンピュータプログラム製品内に組み込まれることが可能な機械可読媒体上ならびに／あるいはコンピュータ可読媒体上のコードおよび／または命令の１つもしくは任意の組合せあるいはセットとして在局し得る。
【０１１６】
１つもしくは複数の態様では、説明された機能は、ハードウェア、ソフトウェア、ファームウェア、またはそれらの任意の組合せの形で実装され得る。ソフトウェアの形で実装される場合、これらの機能は、コンピュータ可読媒体上で１つもしくは複数の命令またはコードとして格納あるいは送信されることが可能である。コンピュータ可読媒体は、ある場所から別の場所へのコンピュータプログラムの転送を円滑にする任意の媒体を含めて、コンピュータ記憶媒体および通信媒体の両方を含む。記憶媒体は、コンピュータによってアクセスされ得る任意の利用可能な媒体であり得る。限定ではなく、例として、かかるコンピュータ可読媒体は、ＲＡＭ、ＲＯＭ、ＥＥＰＲＯＭ、ＣＤ−ＲＯＭもしくはその他の光ディスク記憶装置、磁気ディスク記憶装置もしくはその他の磁気記憶デバイス、あるいは命令もしくはデータ構造の形で所望されるプログラムコードを運ぶためまたは格納するために使用されることが可能であり、かつコンピュータによってアクセスされることが可能な任意のその他の媒体を備え得る。また、任意の接続は、コンピュータ可読媒体と呼ばれる場合がある。例えば、ソフトウェアが、同軸ケーブル、光ファイバケーブル、より対線、デジタル加入者線（ＤＳＬ）、または赤外線、無線、およびマイクロ波などの無線技術を使用して、ウェブサイト、サーバ、もしくはその他の遠隔ソースから送信される場合、同軸ケーブル、光ファイバケーブル、より対線、ＤＳＬ、または、赤外線、無線、およびマイクロ波などの無線技術は、媒体の定義の中に含まれる。本明細書で使用される場合、ディスク（disk）およびディスク（disc）は、コンパクトディスク（ＣＤ）、レーザディスク、光ディスク、デジタル多目的ディスク（ＤＶＤ）、フロッピー（登録商標）ディスク、およびブルーレイディスクを含み、この場合、ディスク（disks）は、通常、磁気的にデータを再生し、一方、ディスク（disc）は、レーザを用いて、光学的にデータを再生する。上の組合せも、コンピュータ可読媒体の範囲内に含まれるべきである。
【０１１７】
したがって、本明細書で説明され、特許請求される本態様は、ＭＩＰネットワーク環境において、独立した順方向リンクおよび逆方向リンクを有する複数のバインディングを提供する。互いから独立した順方向リンクバインディグおよび逆方向リンクバインディングを有することによって、あるリンクバインディングの確立は、別のリンクバインディングの確立および維持に影響を及ぼさない。一態様によれば、複数のバインディングは、アップリンク通信パケットを受信することが可能な複数の逆方向リンクだけのバインディングと、ダウンリンク通信パケットを送信するように動作可能な単一の順方向リンクバインディングとを含む。加えて、もう１つの態様によれば、順方向リンクバインディングおよび逆方向リンクバインディングだけを提供する単一の一次バインディングが確立され得る。
【０１１８】
前述の開示は、例示的な態様および／または実施形態を議論するものの、添付の特許請求の範囲によって定義される、説明された態様および／または実施形態の範囲から逸脱せずに、本明細書において様々な変更および修正が行われることが可能である点に留意されたい。さらに、説明された態様および／または実施形態の要素は、単数で説明または特許請求される場合があるが、単数への限定が明示的に指定されていない限り、複数が企図される。加えて、その他の指定がない限り、態様および／または実施形態のすべてもしくは一部は、任意のその他の態様および／または実施形態のすべてもしくは一部と共に利用されることが可能である。
【図１】
2010530722.tif 000003
【図２】
2010530722.tif 000004
【図３】
2010530722.tif 000005
【図４】
2010530722.tif 000006
【図５】
2010530722.tif 000007
【図６】
2010530722.tif 000008
【図７】
2010530722.tif 000009
【図８】
2010530722.tif 000010
【図９】
2010530722.tif 000011
【図１０】
2010530722.tif 000012
【国際調査報告】
2010530722.tif 000013
2010530722.tif 000014